(57)【要約】  本願は、香料原材料、香料系、並びにかかる香料原材料及び／又はかかる香料系を含む消費者製品に加えて、かかる香料系、及び消費者製品を製造並びに使用するプロセスに関する。本明細書に開示される送達系を含む香料組成物は、かかる香料原材料が特徴にバリエーションをもたらすことができ、またかかる組成物が所望の匂いプロファイルを提供することができるため、香料業界の選択肢を広げる。【特許請求の範囲】
【請求項１】
表１の香料原材料を含む香料。
【請求項２】
ｐ−ｔ．ブチル−α−メチルジヒドロ桂皮アルデヒドが、表２に係る質量比置換水準に従って置換されている、請求項１に記載の香料。
【請求項３】
本質的に０重量％のｐ−ｔ．ブチル−α−メチルジヒドロ桂皮アルデヒド、最も好ましくは０重量％のｐ−ｔ．ブチル−α−メチルジヒドロ桂皮アルデヒドと、０．０１〜８０、好ましくは０．０１〜４０、より好ましくは０．０１〜１８、最も好ましくは０．０１〜７重量％のカクテルとを含み、カクテルが、
ａ）カクテルの総重量に基づいて、０．０１〜１０、より好ましくは０．０１〜５、最も好ましくは０．０１〜２重量％のオクタヒドロ−４，７−メタノインダニリデンブタナールと、０．００１〜５、より好ましくは０．００１〜２、最も好ましくは０．００１〜０．５重量％の４，８−ジメチルデカ−４，９−ジエナールと、を含むカクテル；
ｂ）カクテルの総重量に基づいて、０．１〜５０、より好ましくは０．１〜２５、最も好ましくは０．１〜１０重量％のβ−メチル−３−（１−メチルエチル）−ベンゼンプロパナールと、０．１〜２０、より好ましくは０．１〜５、最も好ましくは０．０１〜１重量％のイソヘキセニルシクロヘキセニルカルボキシアルデヒドと、を含むカクテル；
ｃ）カクテルの総重量に基づいて、０．１〜５０、より好ましくは０．１〜２５、最も好ましくは０．１〜１０重量％のα−メチル−４−（１−メチルエチル）−ベンゼンプロパナールと、１０〜１００、より好ましくは５０〜１００、最も好ましくは７５〜１００重量％の２−（２−メチルプロピル）−４−メチル−テトラヒドロ−２Ｈ−ピラン−４−オールと、を含むカクテル；
ｄ）カクテルの総重量に基づいて、０．００１〜５、より好ましくは０．００１〜１、最も好ましくは０．００１〜０．１重量％の［（３，７−ジメチル−６−オクテニル）オキシ］−アセトアルデヒドと、０．１〜７５、より好ましくは０．１〜２５、最も好ましくは０．１〜５重量％のα−メチル−４−（１−メチルエチル）−ベンゼンプロパナールと、２５〜１００、より好ましくは５０〜１００、最も好ましくは７５〜１００重量％の７−ヒドロキシ−３，７−ジメチル−オクタナールと、を含むカクテル；
ｅ）カクテルの総重量に基づいて、０．００１〜５、より好ましくは０．００１〜１、最も好ましくは０．００１〜０．１重量％の［（３，７−ジメチル−６−オクテニル）オキシ］−アセトアルデヒドと、０．１〜７５、より好ましくは０．１〜２５、最も好ましくは０．１〜５重量％のα−メチル−４−（１−メチルエチル）−ベンゼンプロパナールと、２５〜１００、より好ましくは５０〜１００、最も好ましくは７５〜１００重量％の２−ヒドロキシ−安息香酸ヘキシルエステルと、を含むカクテル；
ｆ）カクテルの総重量に基づいて、１０〜１００、より好ましくは１０〜７５、最も好ましくは１０〜５０重量％の２−ヒドロキシ−安息香酸フェニルメチルエステルと、０．１〜５０、より好ましくは０．１〜２５、最も好ましくは０．１〜５重量％の４−（１，１−ジメチルエチル）ベンゼンプロパナールと、０．１〜５０、より好ましくは０．１〜２５、最も好ましくは０．１〜１０重量％のオクタヒドロ−８，８−ジメチルナフタレン−２−カルボキシアルデヒドと、０．１〜７５、より好ましくは０．１〜５０、最も好ましくは０．１〜２０重量％のα−メチル−４−（１−メチルエチル）−ベンゼンプロパナールと、１．０〜７５、より好ましくは１〜５０、最も好ましくは１〜２５重量％の２−ヒドロキシ−安息香酸ヘキシルエステルと、０．１〜７５、より好ましくは０．１〜５０、最も好ましくは０．１〜２５重量％の３，７−ジメチル−１，６−オクタジエン−３−オールと、０．１〜７５、より好ましくは０．１〜５０、最も好ましくは０．１〜２０重量％の４−（４−ヒドロキシ−４−メチルペンチル）−３−シクロヘキセン−１−カルボキシアルデヒドと、０．１〜２０、より好ましくは０．１〜５、最も好ましくは０．０１〜１重量％の２，６−ジメチル−５−ヘプテナールと、０．１〜７５、より好ましくは０．１〜５０、最も好ましくは０．１〜１０重量％の２−シクロヘキシリデン−２−フェニルアセトニトリルと、０．１〜１０、より好ましくは０．１〜５、最も好ましくは０．００１〜０．５重量％の３−ヒドロキシ−２−ブタノンと、を含むカクテル；
ｇ）カクテルの総重量に基づいて、１．０〜７５、より好ましくは５〜５０、最も好ましくは５．０〜２５重量％のｎ−サリチル酸ペンチルと、１〜７５、より好ましくは５〜５０、最も好ましくは１０〜２０重量％の２−ヒドロキシ−安息香酸フェニルメチルエステルと、０．１〜２５、より好ましくは０．１〜１０、最も好ましくは０．５〜５重量％の２−ヒドロキシ−安息香酸−（Ｚ）−３−ヘキセニルエステルと、１〜７５、より好ましくは５〜５０、最も好ましくは１０〜２０重量％の２−ヒドロキシ−安息香酸シクロヘキシルエステルと、０．１〜２０、より好ましくは０．１〜５、最も好ましくは０．０１〜２重量％のオクタヒドロ−４，７−メタノインダニリデンブタナールと、０．１〜２０、より好ましくは０．１〜５、最も好ましくは０．０１〜１重量％の４，８−ジメチルデカ−４，９−ジエナールと、１〜７５、より好ましくは５〜５０、最も好ましくは１０〜２５重量％の２−ヒドロキシ−安息香酸ヘキシルエステルと、１〜７５、より好ましくは５〜５０、最も好ましくは１０〜２５重量％のヘキサヒドロ−４，７−メタノインデン５（６）イルイソブチレートと、を含むカクテル；
ｈ）カクテルの総重量に基づいて、１．０〜７５、より好ましくは５．０〜５０、最も好ましくは１０〜２０重量％のｎ−サリチル酸ペンチルと、１〜７５、より好ましくは５〜５０、最も好ましくは１０〜２０重量％の２−ヒドロキシ−安息香酸フェニルメチルエステルと、１〜５０、より好ましくは０．１〜１０、最も好ましくは０．１〜５重量％の２−ヒドロキシ−安息香酸−（Ｚ）−３−ヘキセニルエステルと、１〜７５、より好ましくは５〜５０、最も好ましくは１０〜２０重量％の２−ヒドロキシ−安息香酸シクロヘキシルエステルと、０．１〜２５、より好ましくは０．１〜１０、最も好ましくは０．１〜５重量％のオクタヒドロ−８，８−ジメチルナフタレン−２−カルボキシアルデヒドと、０．１〜２０、より好ましくは０．１〜５、最も好ましくは０．０１〜２重量％のオクタヒドロ−４，７−メタノインダニリデンブタナールと、０．１〜２０、より好ましくは０．１〜５、最も好ましくは０．０１〜１重量％の４，８−ジメチルデカ−４，９−ジエナールと、１〜７５、より好ましくは５〜５０、最も好ましくは１０〜２０重量％の２−ヒドロキシ−安息香酸ヘキシルエステルと、１．０〜７５、より好ましくは５〜５０、最も好ましくは１０〜２０重量％の３，７−ジメチル−１，６−オクタジエン−３−オールと、０．１〜５０、より好ましくは０．１〜２５、最も好ましくは０．１〜５重量％のシス−４−（１−メチルエチル）−シクロヘキサンメタノールと、０．１〜２０、より好ましくは０．１〜５、最も好ましくは０．０１〜１重量％の２，６−ジメチル−５−ヘプテナールと、０．１〜５０、より好ましくは０．１〜２５、最も好ましくは０．１〜５重量％の２−シクロヘキシリデン−２−フェニルアセトニトリルと、０．１〜８０、より好ましくは０．１〜２５、最も好ましくは１〜５重量％のα−ヘキシル桂皮アルデヒドと、０．１〜５０、より好ましくは０．１〜２５、最も好ましくは１〜５重量％のヘキサヒドロ−４，７−メタノインデン５（６）イルイソブチレートと、１〜７５、より好ましくは１〜５０、最も好ましくは１０〜２０重量％の１，４−ジオキサシクロヘプタデカン−５，１７−ジオンと、０．１〜５、より好ましくは０．１〜１、最も好ましくは０．０１〜０．５重量％の４−ヒドロキシ−３−メトキシ−ベンズアルデヒドと、を含むカクテル；
ｉ）カクテルの総重量に基づいて、１〜７５、より好ましくは５〜５０、最も好ましくは１０〜２０重量％のシス−４−（１−メチルエチル）−シクロヘキサンメタノールと、１〜７５、より好ましくは５〜５０、最も好ましくは１０〜２０重量％の１，２，３，４，５，６，７，８−オクタヒドロ−８，８−ジメチル−２−ナフトアルデヒド（混合物）と、５〜９０、より好ましくは１０〜７５、最も好ましくは２５〜５０重量％の２，６−ジメチル−２−オクタノールと、１〜７５、より好ましくは５〜５０、最も好ましくは１０〜２５重量％のメチル２−ヘキシル−３−オキソ−シクロペンタンカルボキシレートと、を含むカクテル；
ｊ）カクテルの総重量に基づいて、０．１〜５０、より好ましくは０．１〜１０、最も好ましくは０．１〜５重量％の４−（１，１−ジメチルエチル）ベンゼンプロパナールと、０．１〜２０、より好ましくは０．１〜５、最も好ましくは０．１〜１重量％のオクタヒドロ−８，８−ジメチルナフタレン−２−カルボキシアルデヒドと、１〜７５、より好ましくは５〜５０、最も好ましくは１０〜２０重量％のα−メチル−４−（１−メチルエチル）−ベンゼンプロパナールと、０．１〜２０、より好ましくは０．１〜５、最も好ましくは０．０１〜１重量％のβ−メチル−３−（１−メチルエチル）−ベンゼンプロパナールと、１〜７５、より好ましくは５〜５０、最も好ましくは１０〜２５重量％の２−ヒドロキシ−安息香酸ヘキシルエステルと、１〜７５、より好ましくは５〜５０、最も好ましくは１０〜２０重量％の４−（４−ヒドロキシ−４−メチルペンチル）−３−シクロヘキセン−１−カルボキシアルデヒドと、０．１〜２０、より好ましくは０．１〜５、最も好ましくは０．０１〜１重量％の２，６−ジメチル−５−ヘプテナールと、１〜７５、より好ましくは５〜５０、最も好ましくは１０〜２０重量％の２−オキソ−２フェニル−シクロペンタン酢酸メチルエステルと、１〜７５、より好ましくは５〜５０、最も好ましくは１０〜２０重量％のヘキサヒドロ−４，７−メタノインデン５（６）イルイソブチレートと、１〜７５、より好ましくは５〜５０、最も好ましくは１０〜２５重量％の３−アセチル−３，４，１０，１０−テトラメチルビシクロ［４．４．０］デカンと、０．０１〜７．５、より好ましくは０．０１〜５、最も好ましくは０．０１〜１重量％のドデカナールと、０．１〜５０、より好ましくは０．１〜５、最も好ましくは０．１〜１重量％の２−（２（４−メチル−３−シクロヘキセン−１−イル）プロピル）−シクロペンタノンと、０．００１〜５、より好ましくは０．００１〜２、最も好ましくは０．００１〜１重量％の４−（４−ヒドロキシフェニル）ブタノン−２と、を含むカクテル；
ｋ）カクテルの総重量に基づいて、０．１〜５０、より好ましくは０．１〜１０、最も好ましくは０．１〜５重量％の２−［（７−ヒドロキシ−３，７−ジメチルオクチリデン）アミノ］−安息香酸メチルと、１〜７５、より好ましくは５〜５０、最も好ましくは１０〜２０重量％の３，７−ジメチル−１，６−オクタジエン−３−オールと、０．１〜２５、より好ましくは０．１〜１０、最も好ましくは０．１〜５重量％のシス−４−（１−メチルエチル）−シクロヘキサンメタノールと、０．０１〜２０、より好ましくは０．０１〜５、最も好ましくは０．０１〜１重量％の２，６−ジメチル−５−ヘプテナールと、０．０１〜２０、より好ましくは０．０１〜５、最も好ましくは０．０１〜１重量％の２，６，１０−トリメチル−９−ウンデセナールと、０．１〜２５、より好ましくは０．１〜１０、最も好ましくは０．１〜５重量％のγ−デカラクトンと、１．０〜９０、より好ましくは１〜５０、最も好ましくは１．０〜１０重量％のイソヘキセニルシクロヘキセニルカルボキシアルデヒドと、を含むカクテル；
ｌ）カクテルの総重量に基づいて、０．１〜５０、より好ましくは０．１〜２５、最も好ましくは０．１〜１０重量％の４−（１，１−ジメチルエチル）ベンゼンプロパナールと、０．１〜７５、より好ましくは０．１〜５０、最も好ましくは０．１〜１０重量％のα−メチル−４−（１−メチルエチル）−ベンゼンプロパナールと、１０〜９５、より好ましくは１０〜７５、最も好ましくは１０〜５０重量％の３−（４−イソブチル−フェニル）−２−メチル−プロピオンアルデヒドと、を含むカクテル；
ｍ）及びこれらの混合物、
から選択される、請求項１に記載の香料。
【請求項４】
消費者製品の総重量に基づいて、０．０００１％〜１００％、好ましくは０．０００１％〜２５％、より好ましくは０．０００５％〜１０％、より好ましくは０．００１％〜５％、より好ましくは０．００５％〜２．５％、最も好ましくは０．０１％〜１％の請求項１〜３のいずれか一項に記載の香料と、補助成分と、所望により、表１の香料原材料を含む香料送達系と、を含む、消費者製品。
【請求項５】
洗浄及び処理製品の総重量に基づいて、０．０００１％〜２５％、好ましくは０．０００５％〜１０％、より好ましくは０．００１％〜５％、より好ましくは０．００５％〜２．５％、最も好ましくは０．０１％〜１％の請求項１〜３のいずれか一項に記載の香料と、補助成分と、を含む、洗浄及び／又は処理組成物。
【請求項６】
布地及び／若しくは硬質表面洗浄並びに／又は処理組成物の総重量に基づいて、０．００００１％〜２５％、好ましくは０．００００５％〜１０％、より好ましくは０．０００１％〜５％、より好ましくは０．０００５％〜１．０％、最も好ましくは０．００１％〜０．５％の請求項１〜３のいずれか一項に記載の香料と、補助成分と、を含む、布地及び／若しくは硬質表面洗浄並びに／又は処理組成物。
【請求項７】
布地及び／若しくは硬質表面洗浄並びに／又は処理組成物の総重量に基づいて、０．００００１％〜２５％、好ましくは０．００００５％〜１０％、より好ましくは０．０００１％〜５％、より好ましくは０．０００５％〜１．０％、最も好ましくは０．００１％〜０．５％の請求項１〜３のいずれか一項に記載の香料と、補助成分と、を含む、洗剤。
【請求項８】
非常に小型化された消費者製品組成物の総重量に基づいて、０．００００１％〜２５％、好ましくは０．００００５％〜１０％、より好ましくは０．０００１％〜５％、より好ましくは０．０００５％〜１．０％、最も好ましくは０．００１％〜０．５％の請求項１〜３のいずれか一項に記載の香料と、補助成分と、を含む、非常に小型化された消費者製品。
【請求項９】
香料送達系の総重量に基づいて、０．００１％〜５０％、好ましくは０．００５％〜３０％、より好ましくは０．０１％〜１０％、より好ましくは０．０２５％〜５％、最も好ましくは０．０２５％〜１％の表１の材料及び／又はその立体異性体と、補助成分とを含む香料送達系を、消費者製品の総重量に基づいて０．００１％〜２０％、好ましくは０．０１％〜１０％、より好ましくは０．０５％〜５％、最も好ましくは０．１％〜０．５％含む、請求項４に記載の消費者製品。
【請求項１０】
部位を洗浄処理する方法であって、所望により前記部位を洗浄する及び／又はすすぐ工程と、前記部位を請求項１〜９のいずれか一項に記載の組成物及びその混合物から選択される組成物と接触させる工程と、所望により、前記部位を洗浄する及び／又はすすぐ工程と、を含む、方法。
【発明の詳細な説明】
【技術分野】
【０００１】
本願は、香料原材料、香料送達系、並びにかかる香料原材料及び／又はかかる香料送達系を含む消費者製品に加えて、かかる香料原材料、香料送達系、及び消費者製品を製造並びに使用するプロセスに関する。
【背景技術】
【０００２】
消費者製品は、かかる製品及び／若しくはかかる製品と接触する部位に所望の香りを提供することができ、並びに／又は望ましくない匂いをマスキングすることができる、１種以上の香料及び／又は香料送達系を含むことができる。現在の香料及び香料送達系は、望ましい匂いを提供しているが、消費者は、長続きし得かつ各人の好みに応じて調整された香りを有する製品を探し続けている。（例えば、米国特許出願第２００７／０２７５８６６  Ａ１号及び米国特許出願第１２／１３３８６６号を参照）−残念ながら、入手可能な香料原材料及び香料送達系の給源（pool）は、例えば、潜在的供給上の制約により、非常に制限を受けているため、香料業界の要望を完全に満たすことができていない。
【先行技術文献】
【特許文献】
【０００３】
【特許文献１】米国特許出願第２００７／０２７５８６６  Ａ１号
【特許文献２】米国特許出願第１２／１３３８６６号
【発明の概要】
【発明が解決しようとする課題】
【０００４】
したがって、香料製造者は、現在の香料材料に取って代わり得る、又は現在の香料材料の代替として機能し得る香料原材料及び香料送達系の更により大きな給源を必要としている。
【０００５】
出願人らは、本明細書に開示される香料原材料は、例えば、Ｌｉｌｉａｌ（登録商標）としても知られているｐ−ｔ．ブチル−α−メチルジヒドロ桂皮アルデヒドの特徴及び／又は匂いプロファイルを含む、全体的性能を提供し得るため、本明細書に開示される香料原材料、及び送達系を含む組成物が、香料業界の選択肢を広げると考える。
【課題を解決するための手段】
【０００６】
本願は、香料原材料、香料系、並びにかかる香料原材料及び／又はかかる香料系を含む消費者製品に加えて、かかる香料系、及び消費者製品を製造並びに使用するプロセスに関する。
【発明を実施するための形態】
【０００７】
定義
本明細書で使用するとき、「消費者製品」は、一般に、販売される形態での使用又は消費を意図するベビーケア、ビューティケア、布地及びホームケア、ファミリーケア、フェミニンケア、ヘルスケア、スナック、及び／若しくは飲料製品又は装置を意味する。かかる製品としては、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、並びに消費者用又は業務用の他の洗浄などの、布地及びホームケア領域内の布地、硬質表面、及び任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法；咳及び風邪治療薬、鎮痛剤、処方薬、ペットヘルス及び栄養を含む店頭販売ヘルスケア；主に慣習的な食事の間又は食事随伴物としての消費が意図される加工食品（非限定的な例としては、ポテトチップス、トルティーヤチップス、ポップコーン、プレッツェル、コーンチップス、シリアルバー、野菜チップス又はクリスプ、スナックミックス、パーティミックス、マルチグレインチップス、スナッククラッカー、チーズスナック、ポークラインズ、コーンスナック、ペレットスナック、押出成形スナック及びベーグルチップが挙げられる）、並びにコーヒーが挙げられるが、これらに限定されない。
【０００８】
本明細書で使用するとき、「洗浄及び／又は処理組成物」という用語は、特に指示のない限り、ビューティケア、布地及びホームケア製品を含む消費者製品の部分集合である。かかる製品としては、脱色、着色、染色、コンディショニング、シャンプー、スタイリングを含む毛髪（ヒト、イヌ、及び／又はネコ）を処理するための製品；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、顆粒又は粉末状の多目的すなわち「強力」洗浄剤、特に洗浄洗剤を含む、布地及びホームケア領域内の布地、硬質表面、及び任意の他の表面を処理するための製品；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭又は業務用の各種の錠剤、顆粒、液体、及びすすぎ補助剤型を含む食器洗い機用洗剤；抗菌手洗い用型を含む液体洗浄及び殺菌剤、手洗い石鹸、マウスウォッシュ、義歯洗浄剤、歯磨剤、車又はカーペット用シャンプー、便器洗浄剤を含む浴室洗浄剤；ヘアシャンプー及びヘアリンス；シャワーゲル、上質な芳香剤、及び泡状溶液、並びに金属洗浄剤；に加えて漂白添加剤、及び「染み用スティック」又は前処理用型などの洗浄助剤、乾燥機添加シート等の基材を有する製品、乾燥及び湿潤型拭取り用品並びにパッド、不織布基材、及びスポンジ；並びに全て消費者及び／又は業務用のスプレー剤、及びミスト剤；並びに／又は練り歯磨き、歯用ジェル、歯用リンス、義歯接着剤、歯ホワイトニングを含む口腔ケアに関連する方法が挙げられるが、これらに限定されない。
【０００９】
本明細書で使用するとき、「布地及び／若しくは硬質表面洗浄及び／又は処理組成物」という用語は、特に指示のない限り、顆粒又は粉末状の多目的すなわち「強力」洗浄剤、特に洗浄洗剤；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭用及び業務用の各種の錠剤、顆粒、液体、及びすすぎ補助剤型を含む食器洗い機用洗剤；抗菌手洗い用型を含む液体洗浄殺菌剤、手洗い石鹸、車又はカーペット用シャンプー、便器洗浄剤を含む浴室洗浄剤；並びに金属洗浄剤、液体、固体、及び／又は乾燥機用シート形態であり得る柔軟化及び／又はフレッシュニングを含む布地コンディショニング製品；に加えて漂白添加剤、及び「染み用スティック」又は前処理用型などの洗浄助剤、乾燥機添加シート等の基材を有する製品、乾燥及び湿潤型拭取り用品並びにパッド、不織布基材、及びスポンジ；並びにスプレー剤、及びミスト剤が挙げられる洗浄及び処理組成物の部分集合である。適用可能であったかかる製品は全て、かかる製品が特定の態様において非水性であり得る程度に、標準的、濃縮、又は更には高濃縮形態であり得る。
【００１０】
本明細書で使用するとき、「ａ」及び「ａｎ」のような冠詞は、特許請求の範囲で使用されるときには、１以上の請求又は記載されるものを意味するものと理解される。
【００１１】
本明細書で使用するとき、「含む（include）」、「含む（includes）」及び「含んでいる（including）」という用語は、非限定的であるように意味される。
【００１２】
本明細書で使用するとき、「固体」という用語は、顆粒、粉末、塊、及び錠剤の製品形態を含む。
【００１３】
本明細書で使用するとき、「流体」という用語は、液体、ゲル、ペースト及びガスの製品形態を含む。
【００１４】
本明細書で使用するとき、「部位（situs）」という用語には、紙製品、布地、衣服、硬質表面、毛髪、及び皮膚が含まれる。
【００１５】
特記しない限り、構成成分又は組成物の濃度は全て、当該構成成分又は組成物の活性部分に関するものであり、かかる構成成分又は組成物の市販の供給源に存在し得る不純物、例えば残留溶媒又は副生成物は除外される。
【００１６】
百分率及び比率は全て、特に指示のない限り、重量で計算される。百分率及び比率は全て、特に指示のない限り、組成物全体を基準にして計算される。
【００１７】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体にわたって記載されるあらゆる最小数値限定は、それより大きいあらゆる数値限定を、そのような大きい数値限定が本明細書に明確に記載されているかのように含む。本明細書全体をわたって記載されるあらゆる数値範囲は、そのようなより広い数値範囲内に入るそれよりも狭いあらゆる数値範囲を、そのようなより狭い数値範囲が全て本明細書に明確に記載されているかのように含む。
【００１８】
好適な香料原材料（本明細書では以後「ＰＲＭ」と称する）
ｐ−ｔ．ブチル−α−メチルジヒドロ桂皮アルデヒド（ＣＡＳ番号８０−５４−６）の代替物を形成するために好適なＰＲＭとしては、以下の表１に列挙されるＰＲＭ、及びかかるＰＲＭの立体異性体が挙げられる。
【表１−１】
2012511614.tif 000002
【表１−２】
2012511614.tif 000003
【表１−３】
2012511614.tif 000004
【００１９】
表１のＰＲＭ  １〜４４は、多数の用途においてｐ−ｔ．ブチル−α−メチルジヒドロ桂皮アルデヒドの性能を再現し得る有用なコア材料であり、表１のＰＲＭ  ４５〜９４は、１種以上のコア材料と組み合わせたとき、所望の性能を提供し得、かかるコア材料単独では、所望の性能を提供しない、有用な補助材料である。
【００２０】
未希釈の（neat）香料組成物に対する好適なｐ−ｔ．ブチル−α−メチルジヒドロ桂皮アルデヒドの質量置換比は、以下のように表される：
【数１】
2012511614.tif 000005
【表２−１】
2012511614.tif 000006
【表２−２】
2012511614.tif 000007
【表２−３】
2012511614.tif 000008
【００２１】
上記表２に開示される置換濃度から、実質的に同じ性能、例えば、所望の濃度で以下の効果のうち１種以上を有する未希釈の香料を得ることができる：未希釈の製品の匂い；布地に塗布したときの湿った布地の匂い；布地に塗布したときの乾いた布地の匂い；香料マイクロカプセル等の封入体を含む封入体からの漏れ低減；特定の香料送達技術における純粋油に対するヘッドスペースの増加；パッケージに適用されるマトリクス香料送達で用いられるときの匂い；洗浄及び／又は処理組成物に適用されたときの未希釈の製品の匂い；上質な芳香剤において用いられるときの上質な芳香剤組成物の匂い；かかる組成物を含む組成物が毛髪に塗布されたときの乾いた毛髪の匂い；かかる組成物を含む溶液からの香料ブルーム及び部位に塗布されたときの特徴。かかる効果は、標準的な試験方法論を適用することにより確認することができる。
【００２２】
１つの態様では、上述の置換技術を使用する好適な香料組成物は、本質的に０重量％のｐ−ｔ．ブチル−α−メチルジヒドロ桂皮アルデヒド、又は更には０重量％のｐ−ｔ．ブチル−α−メチルジヒドロ桂皮アルデヒドと、約０．０１〜約８０、約０．０１〜約４０、約０．０１〜約１８、又は更には約０．０１〜約７重量％の以下から選択されるカクテルと、を含むＡ香料であり得る：
ａ）カクテルの総重量に基づいて、約０．０１〜約１０、約０．０１〜約５、又は更には約０．０１〜約２重量％のオクタヒドロ−４，７−メタノインダニリデンブタナールと、約０．００１〜約５、約０．００１〜約２、又は更には約０．００１〜約０．５重量％の４，８−ジメチルデカ−４，９−ジエナールと、を含むカクテル；
ｂ）カクテルの総重量に基づいて、約０．１〜約５０、約０．１〜約２５、又は更には約０．１〜約１０重量％のβ−メチル−３−（１−メチルエチル）−ベンゼンプロパナールと、約０．１〜約２０、約０．１〜約５、又は更には約０．０１〜約１重量％のイソヘキセニルシクロヘキセニルカルボキシアルデヒドと、を含むカクテル；
ｃ）カクテルの総重量に基づいて、約０．１〜約５０、約０．１〜約２５、又は更には約０．１〜約１０重量％のα−メチル−４−（１−メチルエチル）−ベンゼンプロパナールと、約１０〜約１００、約５０〜約１００、又は更には約７５〜約１００重量％の２−（２−メチルプロピル）−４−メチル−テトラヒドロ−２Ｈ−ピラン−４−オールと、を含むカクテル；
ｄ）カクテルの総重量に基づいて、約０．００１〜約５、約０．００１〜約１．０、又は更には約０．００１〜約０．１重量％の［（３，７−ジメチル−６−オクテニル）オキシ］−アセトアルデヒドと、約０．１〜約７５、約０．１〜約２５、又は更には約０．１〜約５重量％のα−メチル−４−（１−メチルエチル）−ベンゼンプロパナールと、約２５〜約１００、約５０〜約１００、又は更には約７５〜約１００重量％の７−ヒドロキシ−３，７−ジメチル−オクタナールと、を含むカクテル；
ｅ）カクテルの総重量に基づいて、約０．００１〜約５、約０．００１〜約１、又は更には約０．００１〜約０．１重量％の［（３，７−ジメチル−６−オクテニル）オキシ］−アセトアルデヒドと、約０．１〜約７５、約０．１〜約２５、又は更には約０．１〜約５重量％のα−メチル−４−（１−メチルエチル）−ベンゼンプロパナールと、約２５〜約１００、約５０〜約１００、又は更には約７５〜約１００重量％の２−ヒドロキシ−安息香酸ヘキシルエステルと、を含むカクテル；
ｆ）カクテルの総重量に基づいて、約１０〜約１００、約１０〜約７５、又は更には約１０〜約５０重量％の２−ヒドロキシ−安息香酸フェニルメチルエステルと、約０．１〜約５０、約０．１〜約２５、又は更には約０．１〜約５重量％の４−（１，１−ジメチルエチル）ベンゼンプロパナールと、約０．１〜約５０、約０．１〜約２５、又は更には約０．１〜約１０重量％のオクタヒドロ−８，８−ジメチルナフタレン−２−カルボキシアルデヒドと、約０．１〜約７５、約０．１〜約５０、又は更には約０．１〜約２０重量％のα−メチル−４−（１−メチルエチル）−ベンゼンプロパナールと、約１．０〜約７５、約１．０〜約５０、又は更には約１．０〜約２５重量％の２−ヒドロキシ−安息香酸ヘキシルエステルと、約０．１〜約７５、約０．１〜約５０、又は更には約０．１〜約２５重量％の３，７−ジメチル−１，６−オクタジエン−３−オールと、約０．１〜約７５、約０．１〜約５０、又は更には約０．１〜約２０重量％の４−（４−ヒドロキシ−４−メチルペンチル）−３−シクロヘキセン−１−カルボキシアルデヒドと、約０．１〜約２０、約０．１〜約５、又は更には約０．０１〜約１重量％の２，６−ジメチル−５−ヘプテナールと、約０．１〜約７５、約０．１〜約５０、又は更には約０．１〜約１０重量％の２−シクロヘキシリデン−２−フェニルアセトニトリルと、約０．１〜約１０、約０．１〜約５、又は更には約０．００１〜約０．５重量％の３−ヒドロキシ−２−ブタノンと、を含むカクテル；
ｇ）カクテルの総重量に基づいて、約１．０〜約７５、約５〜約５０、又は更には約５〜約２５重量％のｎ−サリチル酸ペンチルと、約１〜約７５、約５〜約５０、又は更には約１０〜約２０重量％の２−ヒドロキシ−安息香酸フェニルメチルエステルと、約０．１〜約２５、約０．１〜約１０、又は更には約０．５〜約５重量％の２−ヒドロキシ−安息香酸−（Ｚ）−３−ヘキセニルエステルと、約１〜約７５、約５〜約５０、又は更には約１０〜約２０重量％の２−ヒドロキシ−安息香酸シクロヘキシルエステルと、約０．１〜約２０、約０．１〜約５、又は更には約０．０１〜約２重量％のオクタヒドロ−４，７−メタノインダニリデンブタナールと、約０．１〜約２０、約０．１〜約５、又は更には約０．０１〜約１重量％の４，８−ジメチルデカ−４，９−ジエナールと、約１〜約７５、約５〜約５０、又は更には約１０〜約２５重量％の２−ヒドロキシ−安息香酸ヘキシルエステルと、約１．０〜約７５、約５〜約５０、又は更には約１０〜約２５重量％のヘキサヒドロ−４，７−メタノインデン５（６）イルイソブチレートと、を含むカクテル；
ｈ）カクテルの総重量に基づいて、約１．０〜約７５、約５〜約５０、又は更には約１０〜約２０重量％のｎ−サリチル酸ペンチルと、約１〜約７５、約５〜約５０、又は更には約１０〜約２０重量％の２−ヒドロキシ−安息香酸フェニルメチルエステルと、約１〜約５０、約０．１〜約１０、又は更には約０．１〜約５重量％の２−ヒドロキシ−安息香酸−（Ｚ）−３−ヘキセニルエステルと、約１〜約７５、約５〜約５０、又は更には約１０〜約２０重量％の２−ヒドロキシ−安息香酸シクロヘキシルエステルと、約０．１〜約２５、約０．１〜約１０、又は更には約０．１〜約５重量％のオクタヒドロ−８，８−ジメチルナフタレン−２−カルボキシアルデヒドと、約０．１〜約２０、約０．１〜約５、又は更には約０．０１〜約２重量％のオクタヒドロ−４，７−メタノインダニリデンブタナールと、約０．１〜約２０、約０．１〜約５、又は更には約０．０１〜約１重量％の４，８−ジメチルデカ−４，９−ジエナールと、約１〜約７５、約５〜約５０、又は更には約１０〜約２０重量％の２−ヒドロキシ−安息香酸ヘキシルエステルと、約１〜約７５、約５〜約５０、又は更には約１０〜約２０重量％の３，７−ジメチル−１，６−オクタジエン−３−オールと、約０．１〜約５０、約０．１〜約２５、又は更には約０．１〜約５重量％のシス−４−（１−メチルエチル）−シクロヘキサンメタノールと、約０．１〜約２０、約０．１〜約５、又は更には約０．０１〜約１重量％の２，６−ジメチル−５−ヘプテナールと、約０．１〜約５０、約０．１〜約２５、又は更には約０．１〜約５重量％の２−シクロヘキシリデン−２−フェニルアセトニトリルと、約０．１〜約８０、約０．１〜約２５、又は更には約１〜約５重量％のα−ヘキシル桂皮アルデヒドと、約０．１〜約５０、約０．１〜約２５、又は更には約１〜約５重量％のヘキサヒドロ−４，７−メタノインデン５（６）イルイソブチレートと、約１〜約７５、約１〜約５０、又は更には約１０〜約２０重量％の１，４−ジオキサシクロヘプタデカン−５，１７−ジオンと、約０．１〜約５、約０．１〜約１、又は更には約０．０１〜約０．５重量％の４−ヒドロキシ−３−メトキシ−ベンズアルデヒドと、を含むカクテル；
ｉ）カクテルの総重量に基づいて、約１〜約７５、約５〜約５０、更には約１０〜約２０重量％のシス−４−（１−メチルエチル）−シクロヘキサンメタノールと、約１〜約７５、約５〜約５０、又は更には約１０〜約２０重量％の１，２，３，４，５，６，７，８−オクタヒドロ−８，８−ジメチル−２−ナフトアルデヒド（混合物）と、約５〜約９０、約１０〜約７５、又は更には約２５〜約５０重量％の２，６−ジメチル−２−オクタノールと、約１〜約７５、約５〜約５０、又は更には約１０〜約２５重量％のメチル２−ヘキシル−３−オキソ−シクロペンタンカルボキシレートと、を含むカクテル；
ｊ）カクテルの総重量に基づいて、約０．１〜約５０、約０．１〜約１０、又は更には約０．１〜約５重量％の４−（１，１−ジメチルエチル）ベンゼンプロパナールと、約０．１〜約２０、約０．１〜約５、又は更には約０．１〜約１重量％のオクタヒドロ−８，８−ジメチルナフタレン−２−カルボキシアルデヒドと、約１〜約７５、約５〜約５０、又は更には約１０〜約２０重量％のα−メチル−４−（１−メチルエチル）−ベンゼンプロパナールと、約０．１〜約２０、約０．１〜約５、又は更には約０．０１〜約１重量％のβ−メチル−３−（１−メチルエチル）−ベンゼンプロパナールと、約１〜約７５、約５〜約５０、又は更には約１０〜約２５重量％の２−ヒドロキシ−安息香酸ヘキシルエステルと、約１〜約７５、約５〜約５０、又は更には約１０〜約２０重量％の４−（４−ヒドロキシ−４−メチルペンチル）−３−シクロヘキセン−１−カルボキシアルデヒドと、約０．１〜約２０、約０．１〜約５、又は更には約０．０１〜約１重量％の２，６−ジメチル−５−ヘプテナールと、約１〜約７５、約５〜約５０、又は更には約１０〜約２０重量％の２−オキソ−２フェニル−シクロペンタン酢酸メチルエステルと、約１〜約７５、約５〜約５０、又は更には約１０〜約２０重量％のヘキサヒドロ−４，７−メタノインデン５（６）イルイソブチレートと、約１〜約７５、約５〜約５０、又は更には約１０〜約２５重量％の３−アセチル−３，４，１０，１０−テトラメチルビシクロ［４．４．０］デカンと、約０．０１〜約７．５、約０．０１〜約５、又は更には約０．０１〜約１重量％のドデカナールと、約０．１〜約５０、約０．１〜約５、又は更には約０．１〜約１重量％の２−（２（４−メチル−３−シクロヘキセン−１−イル）プロピル）−シクロペンタノンと、約０．００１〜約５、約０．００１〜約２、又は更には約０．００１〜約１重量％の４−（４−ヒドロキシフェニル）ブタノン−２と、を含むカクテル；
ｋ）カクテルの総重量に基づいて、約０．１〜約５０、約０．１〜約１０、又は更には約０．１〜約５重量％の２−［（７−ヒドロキシ−３，７−ジメチルオクチリデン）アミノ］−安息香酸メチルと、約１〜約７５、約５〜約５０、又は更には約１０〜約２０重量％の３，７−ジメチル−１，６−オクタジエン−３−オールと、約０．１〜約２５、約０．１〜約１０、又は更には約０．１〜約５重量％のシス−４−（１−メチルエチル）−シクロヘキサンメタノールと、約０．０１〜約２０、約０．０１〜約５、又は更には約０．０１〜約１重量％の２，６−ジメチル−５−ヘプテナールと、約０．０１〜約２０、約０．０１〜約５、又は更には約０．０１〜約１重量％の２，６，１０−トリメチル−９−ウンデセナールと、約０．１〜約２５、約０．１〜約１０、又は更には約０．１〜約５重量％のγ−デカラクトンと、約１〜約９０、約１〜約５０、又は更には約１〜約１０重量％のイソヘキセニルシクロヘキセニルカルボキシアルデヒドと、を含むカクテル；
ｌ）カクテルの総重量に基づいて、約０．１〜約５０、約０．１〜約２５、又は更には約０．１〜約１０重量％の４−（１，１−ジメチルエチル）ベンゼンプロパナールと、約０．１〜約７５、約０．１〜約５０、又は更には約０．１〜約１０重量％のα−メチル−４−（１−メチルエチル）−ベンゼンプロパナールと、約１０〜約９５、約１０〜約７５、又は更には約１０〜約５０重量％の３−（４−イソブチル−フェニル）−２−メチル−プロピオンアルデヒドと、を含むカクテル；
ｍ）及びこれらの混合物。
【００２３】
上記表１に開示されるＰＲＭ及びかかるＰＲＭの立体異性体は、ＩＦＦ  Ｇｌｏｂａｌ  Ｈｅａｄｑｕａｒｔｅｒｓ，５２１  Ｗｅｓｔ  ５７ｔｈ  Ｓｔｒｅｅｔ  Ｎｅｗ  Ｙｏｒｋ，ＮＹ  １００１９，Ｕｎｉｔｅｄ  Ｓｔａｔｅｓ；Ｇｉｖａｕｄａｎ  ＳＡ（Ｃｏｒｐｏｒａｔｅ），５，Ｃｈｅｍｉｎ  ｄｅ  ｌａ  Ｐａｒｆｕｍｅｒｉｅ，１２１４  Ｖｅｒｎｉｅｒ；Ｆｉｒｍｅｎｉｃｈ  ＳＡ，Ｒｏｕｔｅ  ｄｅｓ  Ｊｅｕｎｅｓ  １，Ｐ．Ｏ．Ｂｏｘ  ２３９，Ｇｅｎｅｖｅ  ８  ＣＨ−１２１１，Ｓｗｉｔｚｅｒｌａｎｄ；高砂香料工業株式会社、東京都大田区蒲田５丁目３７番１号ニッセイアロマスクエア１７Ｆ；及びＳｙｍｒｉｓｅ  ＡＧ  １  ３７６０３  Ｈｏｌｚｍｉｎｄｅｎ  Ｇｅｒｍａｎｙから入手することができる。
【００２４】
更なる補助ＰＲＭは、ｐ−ｔ．ブチル−α−メチルジヒドロ桂皮アルデヒドを本明細書に開示される置換材料／組成物により全体又は一部を置換するとき、未希釈の香料を形成するのに有用であり得る。好適な補助ＰＲＭとしては、アセタール、アルコール、アルデヒド（aldeyhdes）、アルケン、アズレン、環式エステル、環式ケトン、エステル、エーテル、フラン、ケトン、ラクトン、ピラン、ニトリル、及びシッフ塩基が挙げられる。かかる補助ＰＲＭは、本明細書に開示される置換材料／組成物に加えられる。例えば、未希釈の香料組成物が、１％のｐ−ｔ．ブチル−α−メチルジヒドロ桂皮アルデヒドと、１％の化学名２−（２−メチルプロピル）−４−メチル−テトラヒドロ−２Ｈ−ピラン−４−オールを有する表１の材料番号１８とを含む場合、ｐ−ｔ．ブチル−α−メチルジヒドロ桂皮アルデヒドが置換される未希釈の香料は、２％の表１の材料番号１８を含むであろう。
【００２５】
好適な補助アルデヒドＰＲＭの例としては、α−アミル桂皮アルデヒド、アニスアルデヒド、デシルアルデヒド、ラウリンアルデヒド、メチルｎ−ノニルアセトアルデヒド、メチルオクチルアセトアルデヒド、ノニルアルデヒド、ベンゼンカルボキシアルデヒド、ネラール、ゲラニアール、１，１ジエトキシ−３，７ジメチル−２，６オクタジエン、４−イソプロピルベンズアルデヒド、２，４−ジメチル−３−シクロヘキセン−１−カルボキシアルデヒド、α−メチル−ｐ−イソプロピルジヒドロ桂皮アルデヒド、３−（３−イソプロピルフェニル）ブタナール、α−ヘキシル桂皮アルデヒド、７−ヒドロキシ−３，７−ジメチルオクタン−１−アール、２，４−ジメチル−３−シクロヘキセン−１−カルボキシアルデヒド、オクチルアルデヒド、フェニルアセトアルデヒド、２，４−ジメチル−３−シクロヘキセン−１−カルボキシアルデヒド、ヘキサナール、３，７−ジメチルオクタナール、６，６−ジメチルビシクロ［３．１．１］ヘプタ−２−エン−２−ブタナール、ノナナール、オクタナール、２−ノネナールウンデセナール、２−メチル−４−（２，６，６−トリメチル−１−シクロヘキセニル−１）−２−ブテナール、２，６−ジメチルオクタナール３−（ｐ−イソプロピルフェニル）プロピオンアルデヒド、３−フェニル−４−ペンテナールシトロネラール、ｏ／ｐ−エチル−α，α−、９−デセナール、ジメチルジヒドロ桂皮アルデヒド、ｐ−イソブチル−α−メチルヒドロ桂皮アルデヒド、シス−４−デセン−１−アール、２，５−ジメチル−２−エテニル−４−ヘキセナール、トランス−２−メチル−２−ブテナール、３−メチルノナナール、α−シネンサール、３−フェニルブタナール、２，２−ジメチル−３−フェニルプロピオンアルデヒド、ｍ−ｔ．ブチル−α−メチルジヒドロ桂皮アルデヒド、ゲラニルオキシアセトアルデヒド、トランス−４−デセン−１−アール、メトキシシトロネラール、及びこれらの混合物が挙げられるが、これらに限定されない。
【００２６】
好適な補助エステルＰＲＭの例としては、アリルシクロヘキサンプロピオネート、アリルヘプタノエート、アリルアミルグリコレート、アリルカプロエート、アミルアセテート（ｎ−ペンチルアセテート）、アミルプロピオネート、ベンジルアセテート、ベンジルプロピオネート、サリチル酸ベンジル、シス−３−ヘキセニルアセテート、シトロネリルアセテート、シトロネリルプロピオネート、サリチル酸シクロヘキシル、ジヒドロイソジャスモネートジメチルベンジルカルビニルアセテート、エチルアセテート、アセト酢酸エチル、酪酸エチル、エチル−２−メチルブチラート、エチル−２−メチルペンタノエートフェンチルアセテート（１，３，３−トリメチル−２−ノルボルナニルアセテート）、トリシクロデセニルアセテート、トリシクロデセニルプロピオネート、酢酸ゲラニル、シス−３−ヘキセニルイソブチレート、ヘキシルアセテート、シス−３−ヘキセニルサリチレート、ｎ−ヘキシルサリチレート、イソボルニルアセテート、リナリルアセテート、ｐ−ｔ−ブチルシクロヘキシルアセテート、（−）−Ｌ−メンチルアセテート、ｏ−ｔ−ブチルシクロヘキシルアセテート）、安息香酸メチル、メチルジヒドロイソジャスモネート、α−メチルベンジルアセテート、サリチル酸メチル、２−フェニルエチルアセテート、プレニルアセテート、セドリルアセテート、シクラビュート（Cyclabute）、フェネチルフェニルアセテート、ギ酸テルピニル、シトロネリルアントラニレート、エチルトリシクロ［５．２．１．０−２，６］デカン−２−カルボキシレート、ｎ−ヘキシルエチルアセトアセテート、２−ｔ−ブチル−４−メチル−シクロヘキシルアセテート、ギ酸、３，５，５−トリメチルヘキシルエステル、クロトン酸フェネチル、酢酸シクロゲラニル、クロトン酸ゲラニル、ゲラン酸エチル、ゲラニルイソブチレート、エチル２−ノニノエート２，６−オクタジエン酸、３，７−ジメチル−、メチルエステル、吉草酸シトロネリル、２−ヘキセニルシクロペンタノン、シクロヘキシルアントラニレート、チグリン酸Ｌ−シトロネリル、チグリン酸ブチル、チグリン酸ペンチル、カプリル酸ゲラニル、９−デセニルアセテート、２−イソプロピル−５−メチルヘキシル−１ブチラート、安息香酸ｎ−ペンチル、安息香酸２−メチルブチル（安息香酸ペンチルとの混合物）、ジメチルベンジルカルビニルプロピオネート、ジメチルベンジルカルビニルアセテート、トランス−２−ヘキセニルサリチレート、ジメチルベンジルカルビニルイソブチレート、３，７−ジメチルオクチルホルメート、ギ酸ロジニル、イソ吉草酸ロジニル、酢酸ロジニル、酪酸ロジニル、プロピオン酸ロジニル、シクロヘキシルエチルアセテート、酪酸ネリル、テトラヒドロゲラニルブチラート、ミルセニルアセテート、２，５−ジメチル−２−エテニルヘキサ−４−エン酸、メチルエステル、２，４−ジメチルシクロヘキサン−１−メチルアセテート、酢酸オシメニル、イソ酪酸リナリル、６−メチル−５−ヘプテニル−１アセテート、４−メチル−２−ペンチルアセテート、ｎ−ペンチル２−メチルブチラート、プロピルアセテート、イソプロペニルアセテート、イソプロピルアセテート、１−メチルシクロヘキサ−３−エンカルボン酸、���チルエステル、チグリン酸プロピル、プロピル／イソブチルシクロペンタ−３−エニル−１−アセテート（α−ビニル）、ブチル２−フロエート、エチル２−ペンテノエート、（Ｅ）−メチル３−ペンテノエート、３−メトキシ−３−メチルブチルアセテート、クロトン酸ｎ−ペンチル、ｎ−ペンチルイソブチレート、ギ酸プロピル、酪酸フルフリル、アンゲリカ酸メチル、ピバル酸メチル、カプロン酸プレニル、プロピオン酸フルフリル、リンゴ酸ジエチル、イソプロピル２−メチルブチラート、マロン酸ジメチル、ギ酸ボルニル、酢酸スチラリル、１−（２−フリル）−１−プロパノン、ｌ−シトロネリルアセテート、３，７−ジメチル−１，６−ノナジエン−３−イルアセテート、クロトン酸ネリル、ジヒドロミリセニルアセテート、テトラヒドロミリセニルアセテート、酢酸ラバンデュリル、４−シクロオクテンイルイソブチレート、シクロペンチルイソブチレート、３−メチル−３−ブテニルアセテート、酢酸アリル、ギ酸ゲラニル、シス−３−ヘキセニルカプロエート及びこれらの混合物が挙げられるが、これらに限定されない。
【００２７】
好適な補助アルコールＰＲＭの例としては、ベンジルアルコール、β−γ−ヘキセノール（２−ヘキセン−１−オール）、セドロール、シトロネロール、桂皮アルコール、ｐ−クレゾール、クミンアルコール、ジヒドロミルセノール、３，７−ジメチル−１−オクタノール、ジメチルベンジルカルビノール、ユーカリプトール、オイゲノール、フェンチルアルコール、ゲラニオール、ヒドラトピックアルコール、イソノニルアルコール（３，５，５−トリメチル−１−ヘキサノール）、リナロール、メチルカビコール（エストラゴール）、メチルオイゲノール（オイゲニルメチルエーテル）、ネロール、２−オクタノール、パチョリアルコール、フェニルヘキサノール（３−メチル−５−フェニル−１−ペンタノール）、フェネチルアルコール、α−テルピネオール、テトラヒドロリナロール、テトラヒドロミルセノール、４−メチル−３デセン−５−オール、ｌ−３，７−ジメチルオクタン−１−オール、２−（フルフリル−２）−ヘプタノール、６，８−ジメチル−２−ノナノール、エチルノルボルニルシクロヘキサノール、β−メチルシクロヘキサンエタノール、３，７−ジメチル−（２），６−オクテン（アジエン）−１−オール、トランス−２−ウンデセン−１−オール２−エチル−２−プレニル−３−ヘキセノール、イソブチルベンジルカルビノール、ジメチルベンジルカルビノール、オシメノール、３，７−ジメチル−１，６−ノナジエン−３−オール（シス＆トランス）、テトラヒドロミルセノール、α−テルピネオール、９−デセノール−１，２（ヘキセニル）シクロペンタノール、２，６−ジメチル−２−ヘプタノール、３−メチル−１−オクテン−３−オール、２，６−ジメチル−５−ヘプタン−２−オール、３，７，９−トリメチル−１，６−デカジエン−３−オール、３，７−ジメチル−６−ノネン−１−オール、３，７−ジメチル−１−オクチン−３−オール、２，６−ジメチル−１，５，７−オクタトリエノール−３、ジヒドロミルセノール、２，６，１０−トリメチル−５，９−ウンデカジエンオール、２，５−ジメチル−２−プロピルヘキサ−４−エノール−１，（Ｚ），３−ヘキセノール、ｏ，ｍ，ｐ−メチル−フェニルエタノール、２−メチル−５−フェニル−１−ペンタノール、３−メチルフェネチルアルコール、パラ−メチルジメチルベンジルカルビノール、メチルベンジルカルビノール、ｐ−メチルフェニルエタノール、３，７−ジメチル−２−オクテン−１−オール、２−メチル−６−メチレン−７−オクテン−４−オール及びこれらの混合物が挙げられるが、これらに限定されない。
【００２８】
好適な補助ケトンＰＲＭの例としては、オキサシクロヘプタデカ−１０−エン−２−オン、ベンジルアセトン、ベンゾフェノン、Ｌ−カルボン、シス−ジャスモン、４−（２，６，６−トリメチル−３−シクロヘキセン−１−イル）−ブト−３−エン−４−オン、エチルアミルケトン、α−イオノン、イオノンβ、エタノン、オクタヒドロ−２，３，８，８−テトラメチル−２−アセトナフタレン、α−イロン、１−（５，５−ジメチル−１−シクロヘキセン−１−イル）−４−ペンテン−１−オン、３−ノナノン、エチルヘキシルケトン、メントン、４−メチルアセトフェノン、γ−メチルイオノンメチルペンチルケトン、メチルヘプテノン（６−メチル−５−ヘプテン−２−オン）、メチルヘプチルケトン、メチルヘキシルケトン、δムセノン、２−オクタノン、２−ペンチル−３−メチル−２−シクロペンテン−１−オン、２−ヘプチルシクロペンタノン、α−メチルイオノン、３−メチル−２−（トランス−２−ペンテニル）−シクロペンテノン、オクテニルシクロペンタノン、ｎ−アミルシクロペンテノン、６−ヒドロキシ−３，７−ジメチルオクタン酸ラクトン、２−ヒドロキシ−２−シクロヘキセン−１−オン、３−メチル−４−フェニル−３−ブテン−２−オン、２−ペンチル−２，５，５−トリメチルシクロペンタノン、２−シクロペンチルシクロペンタノール−１，５−メチルヘキサン−２−オン、γ−ドデカラクトン、δ−ドデカラクトンδ−ドデカラクトン、γ−ノナラクトン、δ−ノナラクトン、γ−オクタラクトン、δ−ウンデカラクトン、γ−ウンデカラクトン及びこれらの混合物が挙げられるが、これらに限定されない。
【００２９】
好適な補助エーテルＰＲＭの例としては、ｐ−クレシルメチルエーテル、４，６，６，７，８，８−ヘキサメチル−１，３，４，６，７，８−ヘキサヒドロ−シクロペンタ（Ｇ）−２−ベンゾピラン、β−ナフチルメチルエーテル、メチルイソブテニルテトラヒドロピラン、（ファントリド）５−アセチル−１，１，２，３，３，６ヘキサメチルインダン、（トナリド）７−アセチル−１，１，３，４，４，６−ヘキサメチルテトラリン、２−フェニルエチル３−メチルブタ−２−エニルエーテル、エチルゲラニルエーテル、フェニルエチルイソプロピルエーテル及びこれらの混合物が挙げられるが、これらに限定されない。
【００３０】
好適な補助アルケンＰＲＭの例としては、アロオシメン、カンフェン、β−カリオフィレン、カジネン、ジフェニルメタン、ｄ−リモネン、リモレン、β−ミルセン、パラ−シメン、α−ピネン、β−ピネン、α−テルピネン、γ−テルピネン、テルピネオレン、７−メチル−３−メチレン−１，６−オクタジエン及びこれらの混合物が挙げられるが、これらに限定されない。
【００３１】
好適な補助ニトリルＰＲＭの例としては、３，７−ジメチル−６−オクテンニトリル、３，７−ジメチル−２（３）、６−ノナジエンニトリル、（２Ｅ，６Ｚ）２，６−ノナジエンニトリル、ｎ−ドデカンニトリルが挙げられるが、これらに限定されない。
【００３２】
好適な補助シッフ塩基ＰＲＭの例としては、シトロネリルニトリル、ノナナール／メチルアントラニレート、アントラニル酸、Ｎ−オクチリデン−、メチルエステル（Ｌ）−、ヒドロキシシトロネラル／メチルアントラニレート、２−メチル−３−（４−シクラメンアルデヒド／メチルアントラニレート、メトキシフェニルプロパナール／メチルアントラニレート、エチルｐ−アミノベンゾエート／ヒドロキシシトロネラール、シトラール／メチルアントラニレート、２，４−ジメチルシクロヘキサ−３−エンカルバルデヒドメチルアントラニレート、ヒドロキシシトロネラール−インドール及びこれらの混合物が挙げられるが、これらに限定されない。
【００３３】
本明細書に開示されるように、ｐ−ｔ．ブチル−α−メチルジヒドロ桂皮アルデヒドの代替物を含む香料組成物は、かかる置換材料への変更を実施する前に、洗剤を含む布地及び／若しくは硬質表面洗浄並びに／又は処理組成物を含む洗浄及び／又は処理組成物を含む香料送達系及び／又は消費者製品、並びにかかる製品で用いられるものと同じ小型形態中において、同濃度で用いることができる。
【００３４】
１つの態様では、表１に開示される置換材料及びその立体異性体を含む香料は、本明細書で定義する通り、消費者製品の総重量に基づいて、約０．０００１％〜約１００％、０．０００１％〜約２５％、約０．０００５％〜約１０％、約０．００１％〜約５％、約０．００５％〜約２．５％、又は更には０．０１％〜約１％の濃度で消費者製品中において用いるのに好適である。
【００３５】
１つの態様では、表１に開示される置換材料及びその立体異性体を含む香料は、本明細書で定義する通り、洗浄及び処理製品の総重量に基づいて、約０．０００１％〜約２５％、約０．０００５％〜約１０％、約０．００１％〜約５％、約０．００５％〜約２．５％、又は更には０．０１％〜約１％の濃度で洗浄及び／又は処理組成物中において用いるのに好適である。
【００３６】
１つの態様では、表１に開示される置換材料及びその立体異性体を含む香料は、本明細書で定義する通り、布地及び／若しくは硬質表面洗浄並びに／又は処理組成物の総重量に基づいて、約０．００００１％〜約２５％、０．００００５％〜約１０％、０．０００１％〜約５％、０．０００５％〜約１．０％、又は更には０．００１％〜約０．５％の濃度で布地及び／若しくは硬質表面洗浄並びに／又は処理組成物中において用いるのに好適である。
【００３７】
１つの態様では、上述の布地及び硬質表面洗浄並びに／又は処理組成物について開示されたのと同濃度の香料を含み得る洗剤が開示される。
【００３８】
１つの態様では、表１に開示される置換材料及びその立体異性体を含む香料は、組成物の総重量に基づいて、約０．００００１％〜約２５％、０．００００５％〜約１０％、０．０００１％〜約５％、０．０００５％〜約１．０％、又は更には０．００１％〜約０．５％の濃度で、例えば、固体又は液体であり得る非常に小型化された洗剤等の非常に小型化された布地及び硬質表面洗浄並びに／又は処理組成物を含む非常に小型化された消費者製品中において用いるのに好適である。
【００３９】
香料送達系
特定の香料送達系、特定の香料送達系を製造する方法、及びかかる香料送達系の使用は、米国特許出願第２００７／０２７５８６６  Ａ１号に開示されている。かかる香料送達系としては、以下が挙げられる：
Ｉ．ポリマー支援型送達（ＰＡＤ）：この香料送達技術は、香料材料を送達するうえでポリマー性材料を用いるものである。古典的なコアセルベーション、水溶性又は部分水溶性〜非水溶性の荷電又は中性ポリマー、液晶、ホットメルト、ヒドロゲル、香料付与プラスチック、マイクロカプセル、ナノ−及びマイクロラテックス、ポリマー性フィルム形成剤、ポリマー性吸収剤、ポリマー性吸着剤等が一部の例である。ＰＡＤにはこれらに限定されるものではないが、以下のものが含まれる：
ａ．）マトリクス系：芳香剤はポリマーマトリクス又は粒子中に溶解又は分散される。香料は例えば、１）製品に配合する前にポリマー中に分散するか、又は２）製品の配合時又は配合後にポリマーとは別に添加すればよい。ポリマーからの香料の拡散は、所望の表面（部位）に付着又は塗布されたポリマー性マトリクス系からの香料の放出を可能とするかその放出速度を増大させるうえで一般的な誘因であるが、香料の放出を制御する他の多くの誘因が知られている。ポリマー性粒子、フィルム、溶液等の内部又は外部への吸収、及び／又は吸着はこの技術の側面である。有機材料（例、ラテックス）からなるナノ−又はマイクロ粒子がその例である。好適な粒子としては、これらに限定されるものではないが、ポリアセタール、ポリアクリレート、ポリアクリリック、ポリアクリロニトリル、ポリアミド、ポリアリールエーテルケトン、ポリブタジエン、ポリブチレン、ポリブチレンテレフタレート、ポリクロロプレン、ポリエチレン、ポリエチレンテレフタレート、ポリシクロヘキシレンジメチレンテレフタレート、ポリカーボネート、ポリクロロプレン、ポリヒドロキシアルカノエート、ポリケトン、ポリエステル、ポリエチレン、ポリエーテルイミド、ポリエーテルスルホン、ポリエチレンクロリネート、ポリイミド、ポリイソプレン、ポリ乳酸、ポリメチルペンテン、ポリフェニレンオキシド、ポリフェニレンスルフィド、ポリフタルアミド、ポリプロピレン、ポリスチレン、ポリスルホン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物等に基づいたポリマー又はコポリマー等の広範な材料が挙げられる。
【００４０】
「標準的な」系とは、ポリマーに結合した予備充填された香料を香料の放出の瞬間まで保持することを意図して香料で「予備充填」されたもののことを指す。こうしたポリマーはまた、未希釈の製品の匂いを抑制し、香料の放出速度に応じてブルーム、及び／又は持続性の効果を与えうる。こうした系における課題の１つは、１）製品内安定性（必要時まで担体内部に香料を保持すること）と、２）適時放出（使用時又は乾燥部位から）との理想的なバランスを実現することである。こうした安定性の実現は、製品内保存時、及び製品のエイジング時に特に重要である。この課題は、強力液体洗濯用洗剤等の、水性の界面活性剤含有製品において特に明らかである。利用可能な多くの「標準的な」マトリクス系は、水性の製品に配合した場合に効果的に「平衡」系となる。「平衡」系又はリザーバ系を選択してもよく、これは許容可能な製品中（in-product）拡散安定性及び利用可能な放出誘因（例えば、摩擦）を有する。「平衡」系は、香料及びポリマーを別個に製品に添加してもよく、香料とポリマーとの平衡相互作用が、１つ以上の消費者接触点において効果を導く（ポリマー支援型送達技術を有しない遊離香料制御に対して）。このポリマーも香料で予備充填することができるが、香料の一部又は全部が製品内保存時に拡散し、所望の香料原材料（ＰＲＭ）がポリマーに結合した平衡状態に達する場合がある。するとポリマーは香料を表面へと輸送し、通常、香料が拡散することで放出が行われる。こうした平衡系ポリマーの使用は、未希釈の製品の未希釈の匂いの強度を低下させる可能性を有する（通常、予備充填された標準系の場合に特にそうした傾向がある）。こうしたポリマーの蓄積は放出プロファイルを「平坦化」し、持続性を高めうる。上記に示したように、こうした持続性は初期の強度を抑制することによって得られ、配合者が、より高いインパクト又は低い臭気検出閾値（ＯＤＴ）又は低いコバッツ・インデックス（ＫＩ）のＰＲＭを用いて、初期の強度が強すぎたり、変質したりすることなくＦＭＯＴの効果を得ることが可能となる。所望の消費者の接触点に影響を与えるためには、香料の放出は、適用のタイムフレーム内で起きることが重要である。好適なマイクロ粒子、及びマイクロラテックス並びにその製造方法は、米国特許出願第２００５／０００３９８０  Ａ１号に見ることができる。マトリクス系は更にホットメルト接着剤、及び芳香性プラスチックを含む。更に、疎水的に改質された多糖類を香料添加製品に配合することによって香料蓄積を増大させ、及び／又は香料放出を改変することができる。例えば多糖類、及びナノラテックスを含むこうしたマトリクス系はすべて、ＰＡＤリザーバ系等の他のＰＡＤ系を含む他のＰＤＴと組み合わせて香料マイクロカプセル（ＰＭＣ）の形態とすることができる。ポリマー支援型送達（ＰＡＤ）マトリクス系としては下記の参考文献に記載のものがある。すなわち、米国特許出願第２００４／０１１０６４８  Ａ１号、同第２００４／００９２４１４  Ａ１号、同第２００４／００９１４４５  Ａ１号、及び同第２００４／００８７４７６  Ａ１号、並びに米国特許第６，５３１，４４４号、同第６，０２４，９４３号、同第６，０４２，７９２号、同第���，０５１，５４０号、同第４，５４０，７２１号、及び同第４，９７３，４２２号。
【００４１】
シリコーンもＰＤＴとして用いることができるポリマーの例であり、ポリマー支援型送達「マトリクス系」に類似の方法で香料効果をもたらすことができる。かかるＰＤＴは、シリコーン支援型送達（ＳＡＤ）と称される。シリコーンを香料で予備充填したり、シリコーンをＰＡＤについて述べたような平衡システムとして使用することができる。好適なシリコーン並びにその製造方法は、国際公開第２００５／１０２２６１号、米国特許出願第２００５０１２４５３０Ａ１号、同第２００５０１４３２８２Ａ１号、及び国際公開第２００３／０１５７３６号に見ることができる。米国特許出願第２００６／００３９１３  Ａ１号に記載されるように、機能化したシリコーンを使用することも可能である。シリコーンの例としては、ポリジメチルシロキサン、及びポリアルキルジメチルシロキサンが挙げられる。他の例としてはアミン機能性を有するものがあり、これを用いてアミン支援型送達（ＡＡＤ）、及び／又はポリマー支援型送達（ＰＡＤ）、及び／又はアミン反応生成物（ＡＲＰ）に関連した効果を与えることができる。他のこうした例を、米国特許第４，９１１，８５２号、米国特許出願第２００４／００５８８４５  Ａ１号、同第２００４／００９２４２５  Ａ１号、及び同第２００５／０００３９８０  Ａ１号に見ることができる。
【００４２】
ｂ．）リザーバ系：リザーバ系はコア／シェル型技術、すなわち芳香剤が保護シェルとして機能しうる香料放出制御膜によって包囲される技術としても知られる。マイクロカプセル内部の物質がコア、内部相、又は充填物と呼ばれるのに対して、壁は時としてシェル、コーティング、又は膜と呼ばれる。マイクロ粒子、感圧カプセル又はマイクロカプセルは、こうした技術の例である。本発明のマイクロカプセルは、これらに限定されるものではないが、コーティング、押出し、スプレイ乾燥、界面重合、その場での重合、及びマトリクス重合等の様々な手順によって形成される。使用可能なシェル材料は、水に対する安定性が大きく異なる。最も安定したものとして、水溶液（又は製品）中に特定のＰＲＭをより長期にわたって保持することが可能なポリオキシメチレン尿素（ＰＭＵ）系材料がある。こうした系には、これらに限定されるものではないが、尿素−ホルムアルデヒド、及び／又はメラミン−ホルムアルデヒドが含まれる。例えば架橋度に応じて水に速やかに又はゆっくりと溶解するように、ゼラチン系マイクロカプセルを調製してもよい。多くの他のカプセル壁材料が入手可能であり、観察される香料の拡散安定性の程度が異なっている。理論に束縛されるものではないが、例えば一旦所定の表面に付着したカプセルからの香料の放出速度は、通常、製品内の香料拡散安定性の逆の次数である。このため、例えば尿素−ホルムアルデヒド、及びメラミン−ホルムアルデヒドマイクロカプセルは通常、機械力（例えば、摩擦力、圧力、剪断応力）等の、カプセルを破壊して香料（芳香）の放出速度を増大させる、拡散以外（拡散に加えて）の放出機構を香料の放出のために必要とする。他の誘因としては、融解、溶解、加水分解又は他の化学反応、電磁放射等が挙げられる。予備充填されたマイクロカプセルの使用には、製品内安定性、並びに使用時、及び／又は表面上（部位上）放出の適正な比に加えてＰＲＭの適切な選択が求められる。尿素−ホルムアルデヒド、及び／又はメラミン−ホルムアルデヒドに基づいたマイクロカプセルは、特に中性に近い水性溶液中で比較的安定している。これらの材料は摩擦誘因を必要とする場合があるが、これはすべての製品用途に適用できるものではない。他のマイクロカプセル材料（例えば、ゼラチン）は水性製品中では不安定な場合があり、製品内エイジングした場合に（遊離香料制御に対して）効果が低下する場合もある擦ると香りが出る（Scratch and sniff）技術は、ＰＡＤの更なる別の例である。香料マイクロカプセル（ＰＭＣ）は、以下の参照文献に記載されているものを含み得る：米国特許出願第２００３／０１２５２２２  Ａ１号；同第２００３／２１５４１７  Ａ１号；同第２００３／２１６４８８  Ａ１号；同第２００３／１５８３４４  Ａ１号；同第２００３／１６５６９２  Ａ１号；同第２００４／０７１７４２  Ａ１号；同第２００４／０７１７４６  Ａ１号；同第２００４／０７２７１９  Ａ１号；同第２００４／０７２７２０  Ａ１号；同第２００６／００３９９３４  Ａ１号；同第２００３／２０３８２９  Ａ１号；同第２００３／１９５１３３  Ａ１号；同第２００４／０８７４７７  Ａ１号；同第２００４／０１０６５３６  Ａ１；並びに米国特許第６，６４５，４７９  Ｂ１号；同第６，２００，９４９  Ｂ１号；同第４，８８２，２２０号；同第４，９１７，９２０号；同第４，５１４，４６１号；同第６，１０６，８７５号、及び同第４，２３４，６２７号、同第３，５９４，３２８号、並びに米国再発行特許第３２７１３号。
【００４３】
ＩＩ．分子支援型送達（ＭＡＤ）：非ポリマー材料又は分子も香料の送達を向上させるうえで機能しうる。理論に束縛されるものではないが、香料は有機材料と非共有結合的に相互作用する場合があり、香料の蓄積、及び／又は放出に影響する。こうした有機材料の非限定的な例としては、これらに限定されるものではないが、有機油、ロウ、鉱物油、ペトロラタム、脂肪酸又はエステル等の疎水性物質、糖類、界面活性剤、リポソーム、更には他の香料原材料（香油）、並びにボディーオイル及び／又は他のソイル等の天然油類が挙げられる。香料定着剤は更なる別の例である。１つの態様では、非ポリマー性材料又は分子は約２よりも大きいＣＬｏｇＰ値を有する。分子支援型送達（ＭＡＤ）には、更に米国特許第７，１１９，０６０号、及び同第５，５０６，２０１号に記載のものが含まれうる。
【００４４】
ＩＩＩ．繊維支援型送達（ＦＡＤ）：部位の選択又は使用はそれ自体香料の送達を向上させる可能性がある。実際、部位それ自体が香料送達技術でありうる。例えば、綿又はポリエステル等の異なる種類の布地は、香料をひき付ける、及び／又は保持する、及び／又は放出する能力に関して異なる性質を有する。繊維の表面又は内部に蓄積される香料の量は、繊維の選択によって、更に繊維の履歴又は処理によって、並びにあらゆる繊維コーティング又は処理によって変化しうる。繊維は織り繊維でも不織繊維でもよく、天然繊維でも合成繊維でもよい。天然繊維には植物、動物、及び地質学的プロセスによって作られるものが含まれ、綿、リネン、黄麻、亜麻、カラムシ、サイザルアサ、並びに紙及び布の製造に用いられる繊維が含まれるが、これらに限定されない。繊維支援型送達は、サーモメカニカルパルプ、晒又は未晒クラフト、又は亜硫酸パルプ等の木質繊維の使用からなりうる。動物繊維は、主として絹、腱、腸線、及び毛髪（ウールを含む）等の特定のタンパク質からなるものである。合成化学物質に基づいたポリマー繊維には、これらに限定されるものではないが、ポリアミドナイロン、ＰＥＴ又はＰＢＴポリエステル、フェノール−ホルムアルデヒド（ＰＦ）、ポリビニルアルコール繊維（ＰＶＯＨ）、ポリ塩化ビニル繊維（ＰＶＣ）、ポリオレフィン（ＰＰ及びＰＥ）、及びアクリルポリマーが含まれる。こうした繊維はすべて香料で予備充填し、次いで遊離香料、及び／又は１以上の香料送達技術を含んでも含まなくてもよい製品に添加することができる。１つの態様では、香料で充填する前に繊維を製品に添加し、次いで繊維中に拡散しうる香料を製品に添加することによって繊維を香料で充填してもよい。理論に束縛されるものではないが、香料は例えば、製品の保存時に繊維表面に吸収されるか繊維内部に吸着され、後に１以上のモーメント・オブ・トゥルース又は消費者接触点において放出されうる。
【００４５】
ＩＶ．アミン支援型送達（ＡＡＤ）：アミン支援型送達技術の手法は、アミン基を有する材料を使用することによって香料の蓄積量を増大させ、製品使用時の香料放出性を改変するものである。この手法では、製品への添加に先立って香料原材料とアミンとを予め複合又は予め反応させる必要がない。１つの態様では、本発明で使用するのに適したアミン含有ＡＡＤ材料は、例えばポリエチレンイミン（ＰＥＩ）等のポリアルキルイミン若しくはポリビニルアミン（ＰＶＡｍ）等の非芳香族、又は例えばアントラニレート等の芳香族であってよい。こうした材料は、ポリマー性又は非ポリマー性であってよい。１つの態様では、こうした材料には少なくとも１種類の第１級アミンが含まれる。この技術は、アミンの機能性によって低ＯＤＴの香料の香り（例えば、アルデヒド、ケトン、エノン）の持続性を高めるとともにその放出制御を可能とし、理論に束縛されるものではないが、更にポリマー性アミンのポリマー支援型送達による他のＰＲＭの送達を可能とするものである。この技術を用いない場合、揮発性のトップノートが失われるのが早過ぎ、トップノートに対するミドル、及びベースノートの比が高くなってしまう。ポリマー性アミンの使用により、より高濃度のトップノート、及び他のＰＲＭを使用することで未希釈の製品の匂いが所望よりも強くなりすぎないように新鮮さを持続したり、トップノート、及び他のＰＲＭをより効率的に利用することが可能となる。１つの態様では、ＡＡＤ系は、中性付近よりも高いｐＨにおいてＰＲＭを効果的に送達する。理論に束縛されるものではないが、ＡＡＤ系のより多くのアミンが脱プロトン化されるような条件下では、不飽和ケトン、及びダマスコーン等のエノンを含むアルデヒド、及びケトン等のＰＲＭに対する、脱プロトン化されたアミンの親和性が高くなる可能性がある。別の態様では、ポリマー性アミンは、中性付近よりも低いｐＨにおいてＰＲＭを効果的に送達する。理論に束縛されるものではないが、ＡＡＤ系のより多くのアミンがプロトン化されるような条件下では、アルデヒド、及びケトン等のＰＲＭに対する、プロトン化されたアミンの親和性が低くなり、幅広いＰＲＭに対してポリマー骨格の親和性が高くなる可能性がある。こうした態様では、ポリマー支援型送達によってより高い香料効果が送達されうる。すなわち、こうした系はＡＡＤの下位に分類されるものであり、アミン−ポリマー支援型送達すなわちＡＰＡＤと呼ぶことができる。ｐＨが７未満の組成物でＡＰＡＤを用いるような場合には、こうしたＡＰＡＤ系はポリマー支援型送達（ＰＡＤ）と考えることもできる。更なる別の態様では、ＡＡＤ、及びＰＡＤ系は、アニオン性界面活性剤又はポリマー等の他の物質と相互作用して、コアセルベート、及び／又はコアセルベート状の系を形成する。別の態様では、例えば硫黄、リン、セレニウム等の窒素以外のヘテロ原子を含む物質を、アミン化合物の代わりに使用することができる。更なる別の態様では、上記の代替化合物をアミン化合物と組み合わせて使用することができる。更なる別の態様では、１個の分子がアミン部分と、例えばチオール、ホスフィン、及びセレノール等の１個以上の代替ヘテロ原子部分とを有していてもよい。好適なＡＡＤ系並びにその製造方法は、米国特許出願第２００５／０００３９８０  Ａ１号、同第２００３／０１９９４２２  Ａ１号、同第２００３／００３６４８９  Ａ１号、同第２００４／０２２００７４  Ａ１号、及び米国特許第６，１０３，６７８号に見ることができる。
【００４６】
Ｖ．シクロデキストリン送達系（ＣＤ）：この技術による手法では、環状オリゴ糖又はシクロデキストリンを用いて香料の送達を向上させる。通常は、香料とシクロデキストリン（ＣＤ）との複合体を形成する。こうした複合体は、予め形成してもよく、その場で形成してもよく、部位の表面上又は内部で形成してもよい。理論に束縛されるものではないが、特に他の補助成分（例えば、界面活性剤）が香料とシクロデキストリンの内腔をめぐって競合するような高濃度で存在しない場合には、水の損失によって平衡状態がＣＤ−香料複合体側に移動しうる。後の時点で水との接触や含水量の増大が起こった場合に、ブルーム効果が得られる可能性がある。更に、シクロデキストリンによって香料の配合者によるＰＲＭの選択の柔軟性が高められる。シクロデキストリンは所望の香料安定性、蓄積、及び放出効果を得るうえで、香料で予備充填しても香料とは別に添加してもよい。好適なＣＤ並びにその製造方法は、米国特許出願第２００５／０００３９８０  Ａ１号、及び同第２００６／０２６３３１３  Ａ１号、並びに米国特許第５，５５２，３７８号、同第３，８１２，０１１号、同第４，３１７，８８１号、同第４，４１８，１４４号、及び同第４，３７８，９２３号に見ることができる。
【００４７】
ＶＩ．デンプン封入アコード（ＳＥＡ）：デンプン封入アコード（ＳＥＡ）技術の使用によれば、例えばデンプン等の成分を加えて液体香料を固体に変換することによって、香料の性質を改変することが可能である。その効果としては、製品保存時の香料の保持率が、特に非水性条件下において向上することがある。水分との接触時には、香料のブルームが引き起こされうる。デンプンによって製品の配合者は、通常であればＳＥＡの非存在下では使用できないＰＲＭ又はＰＲＭの濃度を選択することが可能となることから、他のモーメント・オブ・トゥルースにおける効果が更に得られる可能性がある。別の技術の例としては、香料を液体から固体に変換するうえでシリカ等の他の有機、及び無機材料を使用することがある。好適なＳＥＡ並びにその製造方法は、米国特許出願第２００５／０００３９８０  Ａ１号、及び米国特許第６，４５８，７５４  Ｂ１号に見ることができる。
【００４８】
ＶＩＩ．無機担体送達系（ＺＩＣ）：この技術は、香料を送達するうえで多孔質のゼオライト又は他の無機材料を使用することに関する。香料で充填したゼオライトを、例えば香料充填ゼオライト（ＰＬＺ）をコーティングするために用いられる補助成分とともに、又はこうした補助成分なしで使用して、製品保存時、又は使用時、又は乾燥した部位からの香料放出特性を変化させることが可能である。好適なゼオライト、及び無機担体並びにその製造方法は、米国特許出願第２００５／０００３９８０  Ａ１号、並びに米国特許第５，８５８，９５９号、同第６，２４５，７３２  Ｂ１号、同第６，０４８，８３０号、及び同第４，５３９，１３５号に見ることができる。シリカはＺＩＣの別の形態である。好適な無機担体の別の例としては無機チューブがあり、その場合香料又は他の活性物質がナノ又はマイクロチューブの内腔内に収容される。好ましくは、香料で充填した無機チューブ（香料充填チューブ又はＰＬＴ）は、ハロイサイト、又はハロイサイトと他の無機材料（他の粘土を含む）との混合物のような、鉱物性のナノ又はマイクロチューブである。ＰＬＴ技術は、製品内拡散安定性、所望の部位への蓄積を向上させ、充填された香料の放出速度を制御する目的でチューブの内側、及び／又は外側に更なる成分を有してもよい。デンプン封入体等のモノマー性、及び／又はポリマー性材料を用いてＰＬＴをコーティング、プラギング、キャッピング、又は別の方法で封入することが可能である。好適なＰＬＴ系並びにその製造方法は、米国特許第５，６５１，９７６号に見ることができる。
【００４９】
ＶＩＩＩ．プロ香料（ＰＰ）：この技術は、１以上のＰＲＭと１以上の担体との間に共有結合を有する材料を形成するために香料材料と他の基材又は化学物質とを反応させることから得られる香料技術を指す。ＰＲＭはプロＰＲＭ（すなわち、プロ香料）と呼ばれる新たな材料へと変換され、これが水又は光等の誘因に暴露されると最初のＰＲＭを放出する。プロ香料は、増大した香料蓄積量、持続性、安定性、保持率等の向上した香料送達特性を与えうるものである。プロ香料には、モノマー性（非ポリマー性）又はポリマー性のものがある。プロ香料は予め形成してもよく、製品内保存時又は湿潤又は乾燥部位に存在しうるような平衡条件下でその場で形成してもよい。プロ香料の非限定的な例としては、マイケル付加物（例えば、β−アミノケトン）、芳香族又は非芳香族イミン（シッフ塩基）、オキサゾリジン、β−ケトエステル、及びオルトエステルが挙げられる。別の態様には、例えばα，β−不飽和ケトン、アルデヒド又はカルボキシルエステル等の、ＰＲＭを放出可能な１以上のβ−オキシ又はβ−チオカルボニル部分を有する化合物が含まれる。香料を放出させるための一般的な誘因は水との接触であるが、他の誘因として、酵素、熱、光、ｐＨ変化、自動酸化、平衡の移動、濃度又はイオン強度の変化等がある。水性の製品では、光誘因プロ香料が特に適している。こうした光プロ香料（ＰＰＰ）には、これらに限定されるものではないが、誘発時にクマリン誘導体、及び香料、及び／又はプロ香料を放出するものが含まれる。放出されたプロ香料は、上記に述べた誘因のいずれかによって１以上のＰＲＭを放出しうる。１つの態様では、光プロ香料は、光、及び／又は水分誘因に暴露された場合に窒素系プロ香料を放出する。別の態様では、光プロ香料から放出された窒素系プロ香料は、例えばアルデヒド、ケトン（エノンを含む）、及びアルコールから選択される１以上のＰＲＭを放出する。更なる別の態様では、ＰＰＰはジヒドロキシクマリン誘導体を放出する。光誘因プロ香料は、クマリン誘導体、及び香料アルコールを放出するエステルであってもよい。１つの態様では、プロ香料は、米国特許出願第２００６／００２０４５９  Ａ１号に記載のジメトキシベンゾイン誘導体である。別の態様では、プロ香料は、電磁放射に暴露されるとアルコールを放出する３’，５’−ジメトキシベンゾイン（ＤＭＢ）誘導体である。更なる別の態様では、プロ香料は、リナロール、テトラヒドロリナロール、又はジヒドロミルセノール等の第３級アルコールを含む１以上の低ＯＤＴのＰＲＭを放出する。好適なプロ香料並びにその製造方法は、米国特許第７，０１８，９７８  Ｂ２号、同第６，９８７，０８４  Ｂ２号、同第６，９５６，０１３  Ｂ２号、同第６，８６１，４０２  Ｂ１号、同第６，５４４，９４５  Ｂ１号、同第６，０９３，６９１号、同第６，２７７，７９６  Ｂ１号、同第６，１６５，９５３号、同第６，３１６，３９７  Ｂ１号、同第６，４３７，１５０  Ｂ１号、同第６，４７９，６８２  Ｂ１号、同第６，０９６，９１８号、同第６，２１８，３５５  Ｂ１号、同第６，１３３，２２８号、同第６，１４７，０３７号、同第７，１０９，１５３  Ｂ２号、同第７，０７１，１５１  Ｂ２号、同第���，９８７，０８４  Ｂ２号、同第６，６１０，６４６  Ｂ２号、及び同第５，９５８，８７０号、並びに米国特許出願第２００５／０００３９８０  Ａ１号、及び同第２００６／０２２３７２６  Ａ１号に見ることができる。
【００５０】
ａ．）アミン反応生成物（ＡＲＰ）：本願の目的では、ＡＲＰはＰＰの下位に分類されるものである。アミン官能基が１以上のＰＲＭと予備反応してアミン反応生成物（ＡＲＰ）を生成することから、「反応性」ポリマー性アミンという呼び方をすることもできる。一般に、反応性アミンは第１級、及び／又は第２級アミンであり、ポリマー又はモノマー（非ポリマー）の一部でありうる。こうしたＡＲＰは更なるＰＲＭと混合することでポリマー支援型送達、及び／又はアミン支援型送達の効果を与えることも可能である。ポリマー性アミンの非限定的な例としては、ポリエチレンイミン（ＰＥＩ）等のポリアルキルイミン、又はポリビニルアミン（ＰＶＡｍ）に基づいたポリマーが挙げられる。モノマー性（非ポリマー性）アミンの非限定的な例としては、２−アミノエタノール、及びこのアルキル置換誘導体等のヒドロキシルアミン類、並びにアントラニレート等の芳香族アミン類が挙げられる。ＡＲＰは香料と予め混合してもよく、リーブオン又はリンスオフの用途では香料と別に添加してもよい。別の態様では、例えば酸素、硫黄、リン又はセレニウム等の窒素以外のヘテロ原子を含む物質をアミン化合物の代わりに使用することができる。更なる別の態様では、上記の代替化合物をアミン化合物と組み合わせて使用することができる。更なる別の態様では、１個の分子がアミン部分と、例えばチオール、ホスフィン、及びセレノール等の１個以上の代替ヘテロ原子部分とを有していてもよい。その効果としては、香料の送達が向上すること、及び香料の放出制御ことがある。好適なＡＲＰ並びにその製造方法は、米国特許出願第２００５／０００３９８０  Ａ１号、及び米国特許第６，４１３，９２０  Ｂ１号に見ることができる。
【００５１】
１つの態様では、表１に開示される置換材料及びその立体異性体を含む香料は、香料送達系の総重量に基づいて、０．００１％〜約５０％、０．００５％〜３０％、０．０１％〜約１０％、０．０２５％〜約５％、又は更には０．０２５％〜約１％の濃度で香料送達系において用いるのに好適である。
【００５２】
１つの態様では、本明細書に開示される香料送達系は、消費者製品の総重量に基づいて、約０．００１％〜約２０％、約０．０１％〜約１０％、約０．０５％〜約５％、約０．１％〜約０．５％の濃度で、消費者製品、洗浄及び処理組成物、並びに布地及び硬質表面洗浄並びに／又は処理組成物、洗剤、並びに例えば、固体又は液体であり得る非常に小型化された洗剤等の非常に小型化された布地及び硬質表面洗浄並びに／又は処理組成物を含む非常に小型化された消費者製品中において用いるのに好適である。
【００５３】
１つの態様では、表１のＰＲＭの量は、マイクカプセル及び／又はナノカプセル（ポリマー支援型送達（ＰＡＤ）リザーバ系）の総重量に基づいて、約０．１％〜約９９％、２５％〜約９５％、３０〜約９０％、４５％〜約９０％、６５％〜約９０％であり得る。
【００５４】
１つの態様では、香料の総量は、デンプン封入体及びデンプン凝集体（デンプン封入アコード（ＳＥＡ））の総重量に基づいて、０．１％〜約９９％、２５％〜約９５％、３０〜約９０％、４５％〜約９０％、６５％〜約９０％の範囲である。１つの態様では、表１に開示される置換材料及びその立体異性体を含む香料は、かかるデンプン封入体及びデンプン凝集体中において用いるのに好適である。かかるＰＲＭ及びその立体異性体は、かかるデンプン封入体及びデンプン凝集体中において組み合わせて用いることができる。
【００５５】
１つの態様では、香料の総量は、［シクロデキストリン−香料］複合体（シクロデキストリン（ＣＤ））の総重量に基づいて、０．１％〜約９９％、２．５％〜約７５％、５％〜約６０％、５％〜約５０％、５％〜約２５％の範囲である。１つの態様では、表１に開示される置換材料及びその立体異性体を含む香料は、［シクロデキストリン−香料］複合体中において用いるのに好適である。かかるＰＲＭ及びその立体異性体は、かかる［シクロデキストリン−香料］複合体中において組み合わせて用いることができる。
【００５６】
１つの態様では、香料の総量は、ポリマー支援型送達（ＰＡＤ）マトリクス系（シリコーンを含む）の総重量に基づいて、０．１％〜約９９％、２．５％〜約７５％、５％〜約６０％、５％〜約５０％、５％〜約２５％の範囲である。１つの態様では、香料の総量は、ホットメルト香料送達系／香料充填プラスチックマトリクス系の総重量に基づいて、１％〜約９９％、２．５％〜約７５％、５％〜約６０％、５％〜約５０％、１０％〜約５０％の範囲である。１つの態様では、表１に開示される置換材料及びその立体異性体を含む香料は、ホットメルト香料送達系／香料充填プラスチックマトリクス系を含む、かかるポリマー支援型送達（ＰＡＤ）マトリクス系中において用いるのに好適である。かかるＰＲＭ及びその立体異性体は、かかるポリマー支援型送達（ＰＡＤ）マトリクス系（ホットメルト香料送達系／香料充填プラスチックマトリクス系）中において組み合わせて用いることができる。
【００５７】
１つの態様では、香料の総量は、アミン支援型送達（ＡＡＤ）（アミノシリコーンを含む）の総重量に基づいて、１％〜約９９％、２．５％〜約７５％、５％〜約６０％、５％〜約５０％、５％〜約２５％の範囲である。１つの態様では、表１に開示される置換材料及びその立体異性体を含む香料は、かかるアミン支援型送達（ＡＡＤ）系中において用いるのに好適である。
【００５８】
１つの態様では、香料の総量は、プロ香料（ＰＰ）アミン反応生成物（ＡＲＰ）系の総重量に基づいて、０．１％〜約９９％、約１％〜約９９％、５％〜約９０％、１０％〜約７５％、２０％〜約７５％、２５％〜約６０％の範囲である。１つの態様では、表１に開示される置換材料及びその立体異性体を含む香料は、かかるプロ香料（ＰＰ）アミン反応生成物（ＡＲＰ）系中において用いるのに好適である。
【００５９】
本明細書で開示される香料送達系としても知られている香料送達技術は、任意の種類の消費者製品、洗浄及び／又は処理組成物、布地及び硬質表面洗浄並びに／又は処理組成物、洗剤、並びに非常に小型化された洗剤において、任意の組み合わせで用いることができる。
【００６０】
補助材料
本発明の目的のために、以下に例示される補助剤の非限定的な一覧は、本組成物での使用に適しており、例えば、性能を補助若しくは向上させるために、洗浄される基材の処理のために、又は香料、着色剤、染料等を用いる場合のように組成物の審美性を変化させるために、望ましくは本発明の特定の実施形態に組み込むことができる。かかる補助剤は、本出願人らの香料及び／又は香料系を介して供給される構成成分に追加されると理解される。このような追加的構成成分の明確な性質、及びそれを組み込む濃度は、組成物の物理的形態及び使用される作業の性質に依存する。適した補助材料としては、界面活性剤、ビルダー、キレート化剤、移染防止剤、分散剤、酵素、及び酵素安定剤、触媒物質、漂白活性化剤、ポリマー分散剤、粘土汚れ除去／再付着防止剤、光沢剤、泡抑制剤、染料、構造弾性化剤、布地柔軟化剤、キャリア、向水性物質、加工助剤、及び／又は顔料が挙げられるが、これらに限定されない。下記開示に加えて、このような他の補助剤の好適な例、及び使用濃度は、米国特許第５，５７６，２８２号、同第６，３０６，８１２  Ｂ１号、及び同第６，３２６，３４８  Ｂ１号に見られ、これらは参照により組み込まれる。
【００６１】
各補助成分は、本出願人らの組成物にとって必須ではない。したがって、本出願人らの組成物の特定の実施形態は、以下の補助材料：漂白活性化剤、界面活性剤、ビルダー、キレート化剤、移染防止剤、分散剤、酵素及び酵素安定剤、触媒金属錯体、ポリマー系分散剤、粘土及び汚れ除去／再付着防止剤、光沢剤、泡抑制剤、染料、構造弾性化剤、柔軟剤、キャリア、向水性物質、加工助剤、並びに／又は顔料、の１種以上を含有しない。しかし、１つ以上の補助剤が存在する場合、このような１つ以上の補助剤は、以下に詳述されるように存在することも可能である。
【００６２】
界面活性剤−本発明による組成物は、界面活性剤又は界面活性剤系を含むことができ、その際、界面活性剤は、非イオン性及び／若しくはアニオン性及び／若しくはカチオン性界面活性剤並びに／又は両性及び／若しくは双極性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００６３】
ビルダー−本発明の組成物は、１つ以上の洗剤ビルダー又はビルダー系を含むことができる。存在する場合、組成物は典型的には、少なくとも約１重量％のビルダー、又は約５重量％又は１０重量％から約８０重量％まで、５０重量％まで、又は更には３０重量％までのかかるビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリト酸、コハク酸、オキシジコハク酸、ポリマレイン酸、ベンゼン１，３，５−トリカルボン酸、カルボキシメチルオキシコハク酸、及びそれらの可溶性塩のようなポリカルボン酸塩が挙げられるが、これらに限定されない。
【００６４】
キレート化剤−本明細書の組成物はまた、所望により１つ以上の銅、鉄、及び／又はマンガンキレート化剤を含有してもよい。使用される場合、キレート化剤は、一般に、本明細書の組成物の約０．１重量％〜約１５重量％、又は更には本明細書の組成物の約３．０重量％〜約１５重量％を構成する。
【００６５】
移染防止剤−本発明の組成物はまた、１つ以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００６６】
分散剤−本発明の組成物はまた、分散剤を含むことができる。好適な水溶性有機材料は、ホモポリマー又はコポリマーの酸又はそれらの塩であり、それらのうちのポリカルボン酸は、互いに炭素原子２個を超えない程度に離れている少なくとも２個のカルボキシル基を含み得る。
【００６７】
酵素−組成物は、洗浄性能効果、及び／又は布地ケア効果を提供する１つ以上の洗浄性酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、プロテアーゼ、リパーゼ、クチナーゼ、及び／又はセルラーゼのような従来の適用可能な酵素をアミラーゼと組み合わせた混液である。
【００６８】
酵素安定剤−組成物、例えば洗剤において使用するための酵素は、様々な技術によって安定化可能である本明細書に用いられる酵素は、カルシウムイオン及び／又はマグネシウムイオンを酵素に供給する、最終組成物中のカルシウムイオン及び／又はマグネシウムイオンの水溶性供給源の存在によって安定化させることができる。
【００６９】
触媒金属錯体−本出願人らの組成物は、触媒金属錯体を包含してもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全く有しない補助金属カチオン、並びに触媒金属及び補助金属のカチオンに対して限定された安定度定数を有する金属イオン封鎖剤、特にエチレンジアミン四酢酸、エチレンジアミンテトラ（メチレンホスホン酸）及びそれらの水溶性の塩類を含む触媒系である。このような触媒は、米国特許第４，４３０，２４３号に開示される。
【００７０】
所望する場合、本明細書の組成物はマンガン化合物を用いて触媒可能である。このような化合物及び使用濃度は当該技術分野で周知であり、例えば、米国特許第５，５７６，２８２号に開示されるマンガン系触媒が挙げられる。
【００７１】
本明細書において有用なコバルト漂白触媒は既知であり、例えば、米国特許第５，５９７，９３６号及び同第５，５９５，９６７号に記載されている。このようなコバルト触媒は、既知の手順、例えば、米国特許第５，５９７，９３６号及び同第５，５９５，９６７号において教示されているような手順によって容易に製造される。
【００７２】
本明細書における組成物は、「ＭＲＬ」と略されるマクロポリ環状硬質配位子等の配位子の遷移金属錯体を適切に含む場合もある。実際には、限定するためではないが、本明細書における組成物及び方法は、水溶性の洗浄媒質内にある少なくともおよそ１憶分の一の有益剤ＭＲＬ族を提供するように調整することができ、約０．００５ｐｐｍ〜約２５ｐｐｍ、約０．０５ｐｐｍ〜約１０ｐｍ、更には約０．１ｐｐｍ〜約５ｐｐｍのＭＲＬを洗浄溶液中に提供するよう調整することができる。
【００７３】
本遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンである。
【００７４】
好適な遷移金属ＭＲＬは、既知の手順、例えば、国際公開第００／３２６０１号及び米国特許第６，２２５，４６４号で教示されているような手順によって容易に製造される。
【００７５】
使用方法
本明細書に開示される特定の消費者製品を用いて、部位、とりわけ表面若しくは布地を洗浄又は処理することができる。通常、このような部位の少なくとも一部は、希釈されない形態又は希釈された液体、例えば洗浄液の、本出願人らの組成物の実施形態と接触させ、そしてその後、所望によりその部位を洗浄及び／又はすすいでもよい。１つの態様では、所望によりある部位を洗浄及び／又はすすぎ、本発明による粒子に又は前記粒子を含む組成物に接触させ、そしてその後、所望により洗浄及び／又はすすぐ。本発明の目的のために、洗浄には擦ること及び機械的撹拌が含まれるが、これらに限定されない。布地には、通常の消費者の使用条件で洗濯又は処理することが可能なほとんどいかなる布地が含まれていてもよい。開示される組成物を含み得る液体のｐＨは、約３〜約１１．５であってよい。こうした組成物は、典型的には溶液中で約５００ｐｐｍ〜約１５，０００ｐｐｍの濃度で使用される。洗浄溶媒が水である場合、水の温度は、通常約５℃〜約９０℃であり、部位が布地を含む場合、水対布地の比は、通常約１：１〜約３０：１である。
【実施例】
【００７６】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の特許請求の範囲で扱うものとする。
【００７７】
実施例１  ｐ−ｔ．ブチル−α−メチルジヒドロ桂皮アルデヒド置換カクテル及びかかる置換カクテルを含む香料組成物
【表３−１】
2012511614.tif 000009
【表３−２】
2012511614.tif 000010
ＯＳ＊：ジプロピレングリコール（ＣＡＳ  ２５２６５−７１−８）、２−ヒドロキシ−１，２，３−プロパントリカルボン酸トリエチルエステル（ＣＡＳ７７−９３−０）、１，２−ベンゼンジカルボン酸ジエチルエステル（ＣＡＳ  ８４−６６−２）等の任意の無臭溶媒。
【表４】
2012511614.tif 000011
【表５】
2012511614.tif 000012
ＯＳ＊：ジプロピレングリコール（ＣＡＳ  ２５２６５−７１−８）、２−ヒドロキシ−１，２，３−プロパントリカルボン酸トリエチルエステル（ＣＡＳ７７−９３−０）、１，２−ベンゼンジカルボン酸ジエチルエステル（ＣＡＳ  ８４−６６−２）等の任意の無臭溶媒。
【００７８】
実施例２  予め形成されたアミン反応生成物
以下の成分を秤量し、ガラスバイアル瓶に加えた：
５０％の、１種以上の表１のＰＲＭを含む香料材料、
５０％の、ＢＡＳＦ製Ｌｕｐａｓｏｌ  ＷＦ（ＣＡＳ番号０９００２−９８−６）を、６０℃の温水浴中に１時間入れた後、使用する。Ｕｌｔｒａ−Ｔｕｒｒａｘ  Ｔ２５ベーシック装置（ＩＫＡ製）を使用して、２種類の成分の混合を５分間行う。混合が完了したら、サンプルを６０℃の温水浴中に±１２時間載置した。均質な粘稠材料が得られる。
【００７９】
上記で記載されるのと同様の方法で、構成成分間において異なる比率を使用することが可能である：
【表６】
2012511614.tif 000013
【００８０】
実施例３：８４重量％のコア／１６重量％のウォールメラミンホルムアルデヒド（ＭＦ）カプセル（ＰＡＤリザーバ系
２５グラムのブチルアクリレート−アクリル酸コポリマー乳化剤（Ｃｏｌｌｏｉｄ  Ｃ３５１、２５％固形分、ｐＫａ  ４．５〜４．７（Ｋｅｍｉｒａ  Ｃｈｅｍｉｃａｌｓ，Ｉｎｃ．Ｋｅｎｎｅｓａｗ，Ｇｅｏｒｇｉａ  Ｕ．Ｓ．Ａ．）を脱イオン水２００グラムに溶解及び混合する。溶液のｐＨを、水酸化ナトリウム溶液でｐＨ  ４．０に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．））８グラムを乳化剤溶液に添加する。１種以上の表１のＰＲＭを含む香料油２００グラムを、機械的に撹拌しながら前述の混合物に添加し、温度を５０℃まで上昇させた。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（サイメル３８５、８０％固形分、Ｃｙｔｅｃ）２５グラムを含有する。この混合物を７０℃まで加熱し、連続的に攪拌しながら１晩にわたって維持して、カプセル封入プロセスを完了させる。アセトアセトアミド（Ｓｉｇｍａ−Ａｌｄｒｉｃｈ，Ｓａｉｎｔ  Ｌｏｕｉｓ，Ｍｉｓｓｏｕｒｉ，Ｕ．Ｓ．Ａ．）２３グラムをこの懸濁液に添加する。モデル７８０アキュサイザー（Accusizer）により分析したときに、３０μｍの平均カプセルサイズを得る。
【００８１】
実施例４：ポリマー支援型送達（ＰＡＤ）マトリクス系の製造プロセス
５０％の１種以上の表１のＰＲＭを含む香料組成物と、４０％のＮｏｖｅｏｎ製カルボキシル終端Ｈｙｃａｒ（登録商標）１３００Ｘ１８（ＣＡＳ番号００６８８９１−５０−９）（混合前に１時間６０℃の温水浴中に置く）と、１０％のＢＡＳＦ製Ｌｕｐａｓｏｌ（登録商標）ＷＦ（ＣＡＳ番号０９００２−９８−６）（混合前に１時間６０℃の温水浴中に置く）とを含む混合物。Ｕｌｔｒａ−Ｔｕｒｒａｘ  Ｔ２５基本装備（ＩＫＡ製）を用いて５分間混合することにより、混合を達成する。混合後、混合物を±１２時間６０℃の温水浴中に置く。均質な、粘稠かつ粘着性のある物質が得られる。
【００８２】
上記で記載されるのと同様の方法で、構成成分間において異なる比率を使用することが可能である：
【表７】
2012511614.tif 000014
【表８】
2012511614.tif 000015
【００８３】
実施例５：製品処方−布地柔軟剤
本明細書に開示されるＰＲＭ、香料、及びアミンを含有する製品処方の非限定的な例を、以下の表に要約する。
【表９】
2012511614.tif 000016
ａ  Ｎ，Ｎ−ジ（タローオイルオキシエチル）−Ｎ，Ｎ−ジメチルアンモニウムクロライド。
ｂ  メチル−ビス（タローアミドエチル）−２−ヒドロキシエチルアンモニウムメチルサルフェート。
ｃ  脂肪酸とメチルジエタノールアミンとのモル比１．５：１での反応生成物を塩化メチルで四級化して得られる、Ｎ，Ｎ−ビス（ステアロイル−オキシ−エチル）Ｎ，Ｎ−ジメチルアンモニウムクロライドとＮ−（ステアロイル−オキシ−エチル）Ｎ−ヒドロキシエチルＮ，Ｎジメチルアンモニウムクロライドとの１：１モル混合物。
ｄ  Ｎａｔｉｏｎａｌ  Ｓｔａｒｃｈから商標名ＣＡＴＯ（登録商標）で入手可能なカチオン性高アミローストウモロコシデンプン。
ｅ  実施例１の香料。
ｆ  米国特許第５，５７４，１７９号、第１５欄、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
ｇ  Ｗａｃｋｅｒ製ＳＥ３９
ｈ  ジエチレントリアミン五酢酸。
ｉ  Ｒｏｈｍ  ａｎｄ  Ｈａａｓ  Ｃｏ．から入手可能なＫＡＴＨＯＮ（登録商標）ＣＧ。「ＰＰＭ」は、「百万分率」。
ｊ  グルタルアルデヒド
ｋ  Ｄｏｗ  Ｃｏｒｎｉｎｇ  Ｃｏｒｐ．から商標名ＤＣ２３１０ので入手可能なシリコーン消泡剤。
ｌ  Ｒｏｈｍ  ａｎｄ  Ｈａａｓ  Ｃｏ．からＡｃｕｌａｎ  ４４の商標名にて入手可能な、疎水変性エトキシル化ウレタン。
＊  本明細書に開示されているようなアミン部分を含む１種以上の材料。
†  残部
【００８４】
実施例６  乾燥洗濯処方
【表１０】
2012511614.tif 000017
＊本明細書に開示されているようなアミン部分を含む１種以上の材料。
＊＊任意
【００８５】
実施例７  液体洗濯処方（ＨＤＬ）
【表１１】
2012511614.tif 000018
＊本明細書に開示されているようなアミン部分を含む１種以上の材料。
＊＊任意
【００８６】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は、「約４０ｍｍ」を意味することを意図する。
【００８７】
本発明の「発明を実施するための形態」で引用した全ての文献は、関連部分において本明細書に参考として組み込まれるが、いずれの文献の引用も、それが本発明に関して先行技術であることを容認するものとして解釈すべきではない。本明細書中の用語の任意の意味又は定義が、参照により組み込まれた文献中の同一の用語の任意の意味又は定義と相反する限りにおいては、本明細書においてその用語に与えられた意味又は定義が適用されるものとする。
【００８８】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の特許請求の範囲で扱うものとする。
【国際調査報告】
2012511614.tif 000019
2012511614.tif 000020
2012511614.tif 000021
2012511614.tif 000022
2012511614.tif 000023